(57)【要約】無線送受信ユニット（ＷＴＲＵ）および事前関連付け検出（ＰＡＤ）のための方法が開示される。方法は、ＰＡＤを行う目的で、無線ローカルエリアネットワーク（ＷＬＡＮ）との関連付けを行う前にＩＰアドレスを取得してＷＬＡＮと通信するステップを含むことができる。方法は、Ｌ２アドレスを使用してＷＬＡＮにメッセージを送信することによりリモートの情報サーバ（ＩＳ）と通信し、ＷＬＡＮを通じてＩＳから応答を受信するステップを含むことができる。方法は、関連付けられていないＷＴＲＵから、送信元ＩＰアドレスを含むメッセージを受信し、関連付けられていないＷＴＲＵによる送信元ＩＰアドレスの使用を制約するステップを含むことができる。方法は、ＷＴＲＵからＰＡＤ要求を受信し、ＰＡＤ情報交換のためにＷＴＲＵとリモートのＩＳとの間でメッセージを中継するステップを含むことができる。ＷＴＲＵはＷＬＡＮに使用するＩＰアドレスを持たなくてよく、ＷＴＲＵはＷＬＡＮに関連付けされなくてよい。
2015518297.tif 000002
【特許請求の範囲】
【請求項１】
無線送受信ユニット（ＷＴＲＵ）で使用する方法であって、
無線ローカルエリアネットワーク（ＷＬＡＮ）を通じた事前関連付け検出（ＰＡＤ）の目的で、前記ＷＬＡＮとの関連付けを行う前にインターネットプロトコル（ＩＰ）アドレスを取得して前記ＷＬＡＮと通信するステップを含むことを特徴とする方法。
【請求項２】
前記ＩＰアドレスを取得するステップが、
ＰＡＤのために割り当てられたＩＰアドレスの空間から前記ＩＰアドレスを無作為に選択すること、前記ＷＬＡＮからのブロードキャストフレームに基づいて前記ＩＰアドレスを決定すること、または、前記ＷＬＡＮにＬ２検出メッセージを送信し、前記Ｌ２検出メッセージに応答して前記ＩＰアドレスを受信すること、の少なくとも１つにより前記ＩＰアドレスを取得するステップをさらに含むことを特徴とする請求項１に記載の方法。
【請求項３】
前記ＩＰアドレスは、リンクローカルＩＰアドレスまたは静的なＩＰアドレスの１つであることを特徴とする請求項１に記載の方法。
【請求項４】
情報サーバ名を含む要求を前記ＷＬＡＮを介してドメイン名サーバに送信するステップと、
前記情報サーバのＩＰアドレスを受信するステップと
をさらに含むことを特徴とする請求項１に記載の方法。
【請求項５】
前記取得したＩＰアドレスを使用して情報サーバと通信してＰＡＤ検出を行うステップ
をさらに含むことを特徴とする請求項１に記載の方法。
【請求項６】
前記ＷＴＲＵは、アクセスポイント（ＡＰ）、基地局（ＢＳ）、または第２のＷＴＲＵ、の少なくとも１つを通じて前記ＷＬＡＮにアクセスし、前記ＷＬＡＮは、８０２．１１、８０２．１５、または８０２．１６、の少なくとも１つを実装することを特徴とする請求項１に記載の方法。
【請求項７】
無線ローカルエリアネットワーク（ＷＬＡＮ）で使用する方法であって、
送信元のＩＰアドレスを含むメッセージを、関連付けされていない無線送受信ユニット（ＷＴＲＵ）から受信するステップと、
前記関連付けされていないＷＴＲＵが前記送信元ＩＰアドレスを使用できる方式を制約するステップと
を含むことを特徴とする方法。
【請求項８】
制約するステップは、
前記送信元ＩＰアドレスを使用できる時間量を制限すること、前記送信元ＩＰアドレスに関連するトラフィックの量を制限すること、前記関連付けられていないＷＴＲＵが前記送信元ＩＰアドレスを使用して通信できるアドレスを制限すること、または、前記関連付けられていないＷＴＲＵからのメッセージを獲得し、前記獲得したメッセージをＰＡＤウェブサーバに送信すること、の少なくとも１つにより前記送信元ＩＰアドレスの使用を制約するステップをさらに含むことを特徴とする請求項７に記載の方法。
【請求項９】
前記ＩＰアドレスをビーコンフレームで前記関連付けられていないＷＴＲＵにブロードキャストすること、または、前記関連付けられていないＷＴＲＵに前記送信元ＩＰアドレスを送信することにより前記関連付けられていないＷＴＲＵからのＬ２検出メッセージに応答すること、の少なくとも１つにより前記関連付けられていないＷＴＲＵに前記ＩＰアドレスを送信するステップをさらに含むことを特徴とする請求項７に記載の方法。
【請求項１０】
前記メッセージが制約された宛先ＩＰアドレスを含むことを条件として、前記関連付けられていないＷＴＲＵにエラーメッセージを返すステップをさらに含むことを特徴とする請求項７に記載の方法。
【請求項１１】
制約するステップがさらに、
前記関連付けられていないＷＴＲＵが前記ＡＰにとってローカルなドメイン名サーバおよび情報サーバと通信することを許可することにより、前記関連付けられていないＷＴＲＵが前記送信元ＩＰアドレスを使用する方式を制約するステップを含み、前記情報サーバのＩＰアドレスは、前記ドメイン名サーバへの要求に基づいて決定されることを特徴とする請求項７に記載の方法。
【請求項１２】
前記送信元ＩＰアドレスを含む前記メッセージを受信するステップはさらに、
アクセスポイント（ＡＰ）、基地局（ＢＳ）、または第２のＷＴＲＵ、の少なくとも１つを通じて、前記関連付けられていないＷＴＲＵから前記送信元ＩＰアドレスを含む前記メッセージを受信するステップを含み、前記ＷＬＡＮは、８０２．１１、８０２．１５、または８０２．１６の少なくとも１つを実装することを特徴とする請求項７に記載の方法。
【請求項１３】
無線ローカルエリアネットワーク（ＷＬＡＮ）で使用する方法であって、
ＷＴＲＵから事前関連付け検出（ＰＡＤ）要求を受信するステップと、
ＰＡＤ情報交換のために前記ＷＴＲＵとリモートの情報サーバ（ＩＳ）との間でメッセージを中継するステップとを含み、前記ＷＴＲＵは、前記ＷＬＡＮに使用するインターネットプロトコル（ＩＰ）アドレスを持たず、前記ＷＴＲＵは前記ＷＬＡＮに関連付けられないことを特徴とする方法。
【請求項１４】
前記ＷＬＡＮは、前記ＷＴＲＵから前記ＷＬＡＮへの前記メッセージには第１のプロトコルを使用し、前記ＷＬＡＮから前記ＩＳへは第２のプロトコルを使用することを特徴とする請求項１３に記載の方法。
【請求項１５】
前記リモートのＩＳにＰＡＤセッション開始要求を送信するステップをさらに含むことを特徴とする請求項１３に記載の方法。
【請求項１６】
前記ＷＴＲＵとＷＬＡＮはＬ２アドレスを使用して通信し、前記ＷＬＡＮと前記ＩＳはインターネットプロトコル（ＩＰ）アドレスを使用して通信することを特徴とする請求項１３に記載の方法。
【請求項１７】
前記ＰＡＤ要求は、有効なセッション識別（ＩＤ）を含み、前記ＷＬＡＮは、有効なセッションＩＤの数を制限することにより、ＰＡＤの目的で前記ＷＬＡＮと通信する、関連付けられていないＷＴＲＵの数を制御することを特徴とする請求項１３に記載の方法。
【請求項１８】
前記メッセージは、アクセスポイント（ＡＰ）、基地局（ＢＳ）、または第２のＷＴＲＵ、の少なくとも１つを通じて中継され、前記ＷＬＡＮは、８０２．１１、８０２．１５、または８０２．１６、の少なくとも１つを実装することを特徴とする請求項１３に記載の方法。
【請求項１９】
事前関連付け検出のために無線送受信ユニット（ＷＴＲＵ）で使用する方法であって、
Ｌ２アドレスを使用して無線ローカルエリアネットワーク（ＷＬＡＮ）にメッセージを送信することによりリモートの情報サーバ（ＩＳ）と通信し、前記ＷＬＡＮを通じて前記ＩＳから応答を受信するステップを含み、前記ＷＴＲＵは前記ＷＬＡＮに関連付けられないことを特徴とする方法。
【請求項２０】
前記ＷＬＡＮに事前関連付け検出（ＰＡＤ）要求を送信するステップをさらに含むことを特徴とする請求項１９に記載の方法。
【請求項２１】
前記ＩＳと前記ＷＬＡＮはインターネットプロトコル（ＩＰ）を使用して通信することを特徴とする請求項１９に記載の方法。
【請求項２２】
前記ＷＬＡＮからサービスダイジェストを受信するステップと、
前記ＷＬＡＮに前記ＰＡＤ要求を送信するか否かを前記サービスダイジェストに基づいて決定するステップと
をさらに含むことを特徴とする請求項１９に記載の方法。
【請求項２３】
前記ＰＡＤ要求は、ＰＡＤのためのサービスを示すサービス識別子を含むことを特徴とする請求項１９に記載の方法。
【請求項２４】
前記メッセージは、アクセスポイント（ＡＰ）、基地局（ＢＳ）、または第２のＷＴＲＵ、の少なくとも１つを通じて送信され、前記ＷＬＡＮは、８０２．１１、８０２．１５、または８０２．１６の少なくとも１つを実装することを特徴とする請求項１９に記載の方法。
【発明の詳細な説明】
【技術分野】
【０００１】
本発明は無線通信に関する。
【背景技術】
【０００２】
本出願は、２０１２年３月５日に出願された米国仮特許出願第６１／６０６，６６５号、２０１２年５月１１日に出願された米国仮特許出願第６１／６４５，８８２号、２０１２年９月１４日に出願された米国仮特許出願第６１／７０１，２９８号、２０１２年９月１４日に出願された米国仮特許出願第６１／７０１，３３５号、および２０１３年１月１１日に出願された米国仮特許出願第６１／７５１，５９５号の利益を主張し、これらの内容は参照により本明細書に組み込まれる。
【０００３】
個人やデバイスがネットワークからのサービスを望むことが多い。例えば、ユーザが、初めて、新たなホテルに入り、販売会議のための資料を準備するために高解像度カラー３Ｄプリンタを使用することを望むことがある。ユーザのラップトップコンピュータは、ユーザのラップトップから到達可能な６つの無線ローカルネットワーク（ＷＬＡＮ）が存在するが、５つは、支払い、または、ユーザ名およびパスワードを要求してから、ＷＬＡＮが高解像度カラープリンタを有するか否かをユーザが判定することができることを報告する。６番目のＷＬＡＮは、ホテルに属する無料のネットワークであるものとして広告されることがあるが、ユーザは、そのネットワークが本当にホテルに属しており、および、安全であるか否かを確信できないことがある。ユーザは、どのＷＬＡＮが高解像度カラープリンタを有しているかを知ることを望むが、そのＷＬＡＮが高解像度カラープリンタを有しているか、および、場合によっては、プリンタを使用するコストを知る前に、最初に、ＷＬＡＮにログオンし、または、クレジットカード情報を提供することを望まないことがある。
【０００４】
第２の例では、ユーザは、移動の間に、スポーツイベントをデバイス上で見ることを望むことがある。ユーザは、無料の編集されたハイライトを見るか、または、高品質の試合に対して料金を支払うことを望むことがある。しかし、ユーザの現在のモバイルオペレータは、それらのサービスのいずれかがユーザのデバイスにストリーミングされることを許可しないことがある。ユーザのデバイスがアタッチ（attach）する多数の他のネットワークが存在することがあるが、ユーザは、ネットワークの各々にアタッチして、どのビデオサービスが異なるネットワーク上で利用可能であるかを調査することを望まない。ユーザが異なるネットワークにアタッチすることを望まない理由は、ネットワークへのアタッチは時間を要し、および、費用がかかることである。加えて、ユーザはそのネットワークが信頼できるか否かを確信できないことがある。
【０００５】
第３の例では、ユーザがローミングしており、および、データ接続に対し、セルラ接続を使用することを望まないことがある。ユーザは、短い時間で著しい量のデータをダウンロードすることを望み、または、ＶｏＩＰサービスを使用することを望むことがある。ユーザのデバイスによって到達可能なネットワークは、それらのデータ接続能力、または優先権（preferences）のインジケーションを提供することがあるが、ユーザがネットワークにアタッチするまでは、そのようなことを行わない。
【０００６】
第４の例では、ユーザが電子書籍アプリケーションを使用して、新たなオンライン電子書籍にアクセスすることを望むことがある。電子書籍サービスプロバイダは、ローカルネットワークにわたって電子書籍にアクセスするための料金を支払うが、デバイスは、電子書籍へのアクセスをユーザに無料となる電子書籍サービスプロバイダと契約しているネットワークを検出する必要があることがある。あるいは、ユーザは、電話をかけることを望むが、電話網が利用可能でないことがある。しかし、利用可能な他のネットワークが存在することがある。電話網は、他のネットワークを使用して通話に対する無料アクセスを提供することがあるが、ユーザのデバイスが最も費用の安い代替のネットワークを使用することを判定することができる場合のみである。
【０００７】
したがって、当技術分野では、デバイスが、ネットワークに関連付けする必要なしに、事前関連付け検出（ＰＡＤ：pre-association discovery）を実行して、ネットワークによって提供されるサービスを判定することができることが必要とされる。
【発明の概要】
【０００８】
無線送信／受信ユニット（ＷＴＲＵ）および事前関連付け検出（ＰＡＤ）を実行する方法が開示される。方法は、ＡＰを通じて事前関連付け検出（ＰＡＤ）を実行する目的で、ＡＰとの関連付ける前に、ＩＰアドレスを取得してＷＬＡＮと通信することを含んでもよい。
【０００９】
方法は、Ｌ２アドレスを使用してＷＬＡＮにメッセージを送信することによって、リモート情報サーバ（ＩＳ）と通信し、および、ＷＬＡＮを通じてＩＳから応答を受信することを含んでもよい。ＷＴＲＵはＷＬＡＮに関連付けられていなくてもよい。
【００１０】
ＷＬＡＮ、およびＰＡＤを実行する目的で、ＷＬＡＮで使用するための方法が開示される。方法は、関連付けられていない無線送信／受信ユニット（ＷＴＲＵ）から、ソースＩＰアドレスを含むメッセージを受信し、および、関連付けられていないＷＴＲＵによるソースＩＰアドレスの使用を制限することを含んでもよい。
【００１１】
方法は、ＷＴＲＵからＰＡＤ要求を受信することと、ＰＡＤ情報交換のためにＷＴＲＵとリモート情報サーバ（ＩＳ）との間でメッセージを中継することとを含んでもよく、ＷＴＲＵはＷＬＡＮでの使用に対するＩＰアドレスを有さず、および、ＷＴＲＵはＷＬＡＮに関連付けられない。
【図面の簡単な説明】
【００１２】
添付図面とともに例として与えられる以下の説明から、より詳細な理解が得られよう。
【図１Ａ】１または複数の開示される実施形態を実施することができる例示的な通信システム１００の図である。
【図１Ｂ】例示的なＷＴＲＵ１０２のシステム図である。
【図１Ｃ】一実施形態に従ったＲＡＮ１０４およびコアネットワーク１０６のシステム図である。
【図２】１または複数の開示される実施形態を実施することができる例示的な通信システムのシステム図である。
【図３Ａ】一部の開示される実施形態に従った、ＷＴＲＵ１０２が事前関連付け検出（ＰＡＤ）に対するＩＰアドレスを取得する例を示す。
【図３Ｂ】一部の開示される実施形態に従った、ＷＴＲＵがＰＡＤに対するＩＰアドレスをＡＰ１７０から取得する例を示す。
【図３Ｃ】一部の開示される実施形態に従った、ＷＴＲＵがＰＡＤに対するＩＰアドレスをＡＰから取得する例を示す。
【図４】一部の開示される実施形態に従ったＰＡＤの方法の例を示す。
【図５】一部の開示される実施形態に従ったＰＡＤの方法の例を示す。
【図６】一部の開示される実施形態に従ったＰＡＤの方法を示す。
【図７】一部の開示される実施形態に従ったＷＴＲＵを示す。
【図８Ａ】一部の開示される実施形態に従ったＰＡＤに対する方法を示す。
【図８Ｂ】一部の実施形態に従ったＰＡＤセッション要求８０４を示す。
【図９】一部の開示される実施形態に従った、ＰＡＤセッションＩＤがセッションダイジェストを使用してブロードキャストされるＰＡＤ検出の方法を示す。
【図１０】一部の開示される実施形態に従った、ＥＡＰＯＬスタートが使用されるＰＡＤ検出に対する方法を示す。
【図１１】一部の開示される実施形態に従った方法を示す。
【図１２】一部の開示される実施形態に従った方法を示す。
【図１３】一部の実施形態に従ったサービスカテゴリのビットマップを示す。
【図１４】一部の開示される実施形態に従った方法を示す。
【発明を実施するための形態】
【００１３】
図１Ａは、１または複数の開示実施形態を実施することができる例示的な通信システム１００の図である。通信システム１００は、音声、データ、ビデオ、メッセージング、放送などのコンテンツを、複数の無線ユーザに提供する多元接続システムであってもよい。通信システム１００は、複数の無線ユーザが、無線帯域幅を含むシステムリソースの共有を通じてそのようなコンテンツにアクセスすることを可能にすることができる。例えば、通信システム１００は、符号分割多元接続（ＣＤＭＡ）、時分割多重接続（ＴＤＭＡ）、周波数分割多重接続（ＦＤＭＡ）、直交ＦＤＭＡ（ＯＦＤＭＡ）、単一キャリアＦＤＭＡ（ＳＣ−ＦＤＭＡ）などの１または複数のチャネルアクセス方法を採用してもよい。
【００１４】
図１Ａに示すように、通信システム１００は、無線送信／受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含んでもよいが、開示される実施形態では、任意の数のＷＴＲＵ、基地局、ネットワーク、および／またはネットワーク要素を意図していることが理解されよう。各ＷＴＲＵ１０２ａ、１０２ｂ、１０２ｃ、１０２ｄは、無線環境で動作および／または通信するように構成された任意のタイプのデバイスであってもよい。例として、ＷＴＲＵ１０２ａ、１０２ｂ、１０２ｃ、１０２ｄは、無線信号を送信および／または受信するように構成されてもよく、ならびに、ユーザ機器（ＵＥ）、移動局、固定または移動加入者ユニット、ページャ、携帯電話、携帯情報端末（ＰＤＡ）、スマートフォン、ラップトップ、ネットブック、パーソナルコンピュータ、無線センサ、家庭用電化製品などを含んでもよい。
【００１５】
通信システム１００はまた、基地局１１４ａおよび基地局１１４ｂを含んでもよい。各基地局１１４ａ、１１４ｂは、ＷＴＲＵ１０２ａ、１０２ｂ、１０２ｃ、１０２ｄの少なくとも１つと無線でインタフェースして、コアネットワーク１０６、インターネット１１０、および／または他のネットワーク１１２などの１または複数の通信ネットワークへのアクセスを容易にするように構成された任意のタイプのデバイスであってもよい。例として、基地局１１４ａ、１１４ｂは、ベーストランシーバ局（ＢＴＳ）、ＮｏｄｅＢ、ｅＮｏｄｅＢ、ホームＮｏｄｅＢ、ホームｅＮｏｄｅＢ、サイトコントローラ、アクセスポイント（ＡＰ）、無線ルータなどであってもよい。図では基地局１１４ａ、１１４ｂはそれぞれ単一の要素として示されているが、基地局１１４ａ、１１４ｂは任意の数の相互接続された基地局および／またはネットワーク要素を含んでもよいことが理解されよう。
【００１６】
基地局１１４ａは、基地局コントローラ（ＢＳＣ）、無線ネットワークコントローラ（ＲＮＣ）、中継ノードなどの他の基地局および／またはネットワーク要素（図示せず）を含むことができる、ＲＡＮ１０４の一部であってもよい。基地局１１４ａおよび／または基地局１１４ｂは、セルと称されてもよい特定の地理的領域（図示せず）内で無線信号を送信および／または受信するように構成されてもよい。セルはさらにセルセクタに分割されてもよい。例えば、基地局１１４ａに関連付けられたセルは、３つのセクタに分割されてもよい。そのため、一実施形態では、基地局１１４ａは、３つの送受信機、すなわちセルの各セクタに１つの送受信機を含んでもよい。別の実施形態では、基地局１１４ａは、多入力多出力（ＭＩＭＯ）技術を採用してもよく、したがってセルの各セクタに対して複数の送受信機を利用してもよい。
【００１７】
基地局１１４ａ、１１４ｂは、任意の適切な無線通信リンク（例えば無線周波（ＲＦ）、マイクロ波、赤外線（ＩＲ）、紫外線（ＵＶ）、可視光など）とすることができる、エアインタフェース１１６上でＷＴＲＵ１０２ａ、１０２ｂ、１０２ｃ、１０２ｄの１または複数と通信してもよい。エアインタフェース１１６は、適切な無線アクセス技術（ＲＡＴ）を使用して確立されてもよい。
【００１８】
より具体的には、上記のように、通信システム１００は多元接続システムであってよく、ならびに、ＣＤＭＡ、ＴＤＭＡ、ＦＤＭＡ、ＯＦＤＭＡ、ＳＣ−ＦＤＭＡなどの１または複数のチャネルアクセス方式を採用してもよい。例えば、ＲＡＮ１０４における基地局１１４ａおよびＷＴＲＵ１０２ａ、１０２ｂ、１０２ｃは、広帯域ＣＤＭＡ（ＷＣＤＭＡ（登録商標））を使用してエアインタフェース１１６を確立することができる、ユニバーサルモバイルテレコミュニケーションシステム（ＵＭＴＳ）地上波無線アクセス（ＵＴＲＡ）などの無線技術を実装することができる。ＷＣＤＭＡは、高速パケットアクセス（ＨＳＰＡ）および／または発展型ＨＳＰＡ（ＨＳＰＡ＋）などの通信プロトコルを含んでもよい。ＨＳＰＡは、高速ダウンリンクパケットアクセス（ＨＳＤＰＡ）および／または高速アップリンクパケットアクセス（ＨＳＵＰＡ）を含んでもよい。
【００１９】
別の実施形態では、基地局１１４ａおよびＷＴＲＵ１０２ａ、１０２ｂ、１０２ｃは、ロングタームエボリューション（ＬＴＥ）および／またはＬＴＥ−Ａｄｖａｎｃｅｄ（ＬＴＥ−Ａ）を使用してエアインタフェース１１６を確立することができる、発展型ＵＭＴＳ地上無線アクセス（Ｅ−ＵＴＲＡ）などの無線技術を実装してもよい。
【００２０】
他の実施形態では、基地局１１４ａおよびＷＴＲＵ１０２ａ、１０２ｂ、１０２ｃは、ＩＥＥＥ８０２．１６（すなわち、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ））、ＣＤＭＡ２０００、ＣＤＭＡ２０００  １Ｘ、ＣＤＭＡ２０００  ＥＶ−ＤＯ、Ｉｎｔｅｒｉｍ  Ｓｔａｎｄａｒｄ  ２０００（ＩＳ−２０００）、Ｉｎｔｅｒｉｍ  Ｓｔａｎｄａｒｄ  ９５（ＩＳ−９５）、Ｉｎｔｅｒｉｍ  Ｓｔａｎｄａｒｄ  ８５６（ＩＳ−８５６）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ（登録商標））、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）、およびＧＳＭ  ＥＤＧＥ（ＧＥＲＡＮ）などの無線技術を実装してもよい。
【００２１】
図１Ａの基地局１１４ｂは、例えば、無線ルータ、ホームＮｏｄｅＢ、ホームｅＮｏｄｅＢ、またはアクセスポイントであってもよく、ならびに、職場、家庭、自動車、キャンパスなどの局所的なエリアにおいて無線接続を容易にする任意の適切なＲＡＴを利用してもよい。一実施形態では、基地局１１４ｂおよびＷＴＲＵ１０２ｃ、１０２ｄは、ＩＥＥＥ８０２．１１などの無線技術を実装して、無線ローカルエリアネットワーク（ＷＬＡＮ）を確立してもよい。別の実施形態では、基地局１１４ｂおよびＷＴＲＵ１０２ｃ、１０２ｄは、ＩＥＥＥ８０２．１５などの無線技術を実装して、無線パーソナルエリアネットワーク（ＷＰＡＮ）を確立してもよい。さらに別の実施形態では、基地局１１４ｂおよびＷＴＲＵ１０２ｃ、１０２ｄは、セルラ方式のＲＡＴ（例えばＷＣＤＭＡ、ＣＤＭＡ２０００、ＧＳＭ、ＬＴＥ、ＬＴＥ−Ａなど）を利用して、ピコセルまたはフェムトセルを確立してもよい。図１Ａに示すように、基地局１１４ｂは、インターネット１１０への直接接続を有してもよい。したがって、基地局１１４ｂは、コアネットワーク１０６を介してインターネット１１０にアクセスする必要がないことがある。
【００２２】
ＲＡＮ１０４は、ＷＴＲＵ１０２ａ、１０２ｂ、１０２ｃ、１０２ｄの１または複数に、音声、データ、アプリケーション、および／またはボイスオーバインターネットプロトコル（ＶｏＩＰ）サービスを提供するように構成された任意のタイプのネットワークとすることができる、コアネットワーク１０６と通信していてもよい。例えば、コアネットワーク１０６は、呼制御、課金サービス、モバイルロケーションベースサービス、プリペイドコーリング、インターネット接続、ビデオ配信などを提供し、ならびに／または、ユーザ認証などの高レベルなセキュリティ機能を実行してもよい。図１Ａには示されないが、ＲＡＮ１０４および／またはコアネットワーク１０６は、ＲＡＮ１０４と同一のＲＡＴまたは異なるＲＡＴを採用している他のＲＡＮと直接的にまたは間接的に通信してもよいことが理解されよう。例えば、Ｅ−ＵＴＲＡ無線技術を採用することができるＲＡＮ１０４に接続されることに加えて、コアネットワーク１０６はまた、ＧＳＭ無線技術を採用している別のＲＡＮ（図示せず）と通信してもよい。
【００２３】
コアネットワーク１０６はまた、ＷＴＲＵ１０２ａ、１０２ｂ、１０２ｃ、１０２ｄがＰＳＴＮ１０８、インターネット１１０および／または他のネットワーク１１２にアクセスするためのゲートウェイとしてサービスしてもよい。ＰＳＴＮ１０８は、従来の電話サービス（ＰＯＴＳ）を提供する回線交換電話網を含んでもよい。インターネット１１０は、ＴＣＰ／ＩＰインターネットプロトコルスイートにおける伝送制御プロトコル（ＴＣＰ）、ユーザデータグラムプロトコル（ＵＤＰ）、インターネットプロトコル（ＩＰ）などの共通通信プロトコルを使用する相互接続されたコンピュータおよびデバイスのグローバルシステムを含んでもよい。他のネットワーク１１２は、他のサービスプロバイダに所有および／または運営される有線または無線通信ネットワークを含んでもよい。例えば、他のネットワーク１１２は、ＲＡＮ１０４と同一のＲＡＴまたは異なるＲＡＴを採用することができる、１または複数のＲＡＮに接続された別のコアネットワークを含んでもよい。
【００２４】
通信システム１００におけるＷＴＲＵ１０２ａ、１０２ｂ、１０２ｃ、１０２ｄの一部またはすべては、マルチモード機能を含んでもよく、すなわち、ＷＴＲＵ１０２ａ、１０２ｂ、１０２ｃ、１０２ｄは、異なる無線リンク上で異なる無線ネットワークと通信するための複数の送受信機を含んでもよい。例えば、図１Ａに示すＷＴＲＵ１０２ｃは、セルベースの無線技術を採用することができる基地局１１４ａ、およびＩＥＥＥ８０２無線技術を採用することができる基地局１１４ｂと通信するように構成されてもよい。
【００２５】
図１Ｂは、例示的なＷＴＲＵ１０２のシステム図である。図１Ｂに示すように、ＷＴＲＵ１０２は、プロセッサ１１８、送受信機１２０、送信／受信要素１２２、スピーカ／マイクロフォン１２４、キーパッド１２６、ディスプレイ／タッチパッド１２８、着脱不能メモリ１３０、着脱可能メモリ１３２、電源１３４、全地球測位システム（ＧＰＳ）チップセット１３６、および他の周辺機能１３８を備え含んでもよい。ＷＴＲＵ１０２は、実施形態との整合性を維持しながら、上述の要素のサブコンビネーションを含んでもよいことが理解されよう。
【００２６】
プロセッサ１１８は、汎用プロセッサ、特殊目的プロセッサ、従来型プロセッサ、デジタルシグナルプロセッサ（ＤＳＰ）、複数のマイクロプロセッサ、ＤＳＰコアと関連した１または複数のマイクロプロセッサ、コントローラ、マイクロコントローラ、特定用途集積回路（ＡＳＩＣ）、フィールドプログラマブルゲートアレイ（ＦＰＧＡ）回路、任意の他のタイプの集積回路（ＩＣ）、および状態機械などであってもよい。プロセッサ１１８は、信号符号化、データ処理、電力制御、入出力処理、および／またはＷＴＲＵ１０２が無線環境で動作することを可能にする他の機能を実行してもよい。プロセッサ１１８は、送信／受信要素１２２に結合することができる、送受信機１２０に結合されてもよい。図１Ｂでは、プロセッサ１１８と送受信機１２０を別個のコンポーネントとして示すが、プロセッサ１１８と送受信機１２０は、電子パッケージまたはチップに共に統合されてもよいことが理解されよう。
【００２７】
送信／受信要素１２２は、エアインタフェース１１６上で基地局（例えば基地局１１４ａ）に信号を送信し、または、そこから受信するように構成されてもよい。例えば、一実施形態では、送信／受信要素１２２は、ＲＦ信号を送信および／または受信するように構成されたアンテナであってもよい。別の実施形態では、送信／受信要素１２２は、例えばＩＲ、ＵＶ、または可視光信号を送信および／または受信するように構成されたエミッタ／ディテクタであってもよい。さらに別の実施形態では、送信／受信要素１２２は、ＲＦ信号と光信号の両方を送受信するように構成されてもよい。送信／受信要素１２２は、無線信号の任意の組み合わせを送信および／または受信するように構成されてもよいことが理解されよう。
【００２８】
また図１Ｂでは、送信／受信要素１２２は１つの要素として示されるが、ＷＴＲＵ１０２は任意の数の送信／受信要素１２２を含んでもよい。より具体的には、ＷＴＲＵ１０２はＭＩＭＯ技術を採用してもよい。したがって、一実施形態では、ＷＴＲＵ１０２は、エアインタフェース１１６上で無線信号を送信および受信するための２つ以上の送信／受信要素１２２（例えば複数のアンテナ）を含んでもよい。
【００２９】
送受信機１２０は、送信／受信要素１２２から送信される信号を変調し、送信／受信要素１２２によって受信された信号を復調するように構成されてもよい。上記のように、ＷＴＲＵ１０２はマルチモード機能を有してもよい。したがって、送受信機１２０は、ＷＴＲＵ１０２が、例えばＵＴＲＡおよびＩＥＥＥ８０２．１１などの複数のＲＡＴを介して通信することを可能にする、複数の送受信機を含んでもよい。
【００３０】
ＷＴＲＵ１０２のプロセッサ１１８は、スピーカ／マイクロフォン１２４、キーパッド１２６、および／またはディスプレイ／タッチパッド１２８（例えば液晶ディスプレイ（ＬＣＤ）表示デバイスまたは有機発光ダイオード（ＯＬＥＤ）表示デバイス）に結合され、ならびに、それらからユーザ入力データを受信してもよい。プロセッサ１１８はまた、スピーカ／マイクロフォン１２４、キーパッド１２６、および／またはディスプレイ／タッチパッド１２８にユーザデータを出力してもよい。また、プロセッサ１１８は、着脱不能メモリ１３０および／または着脱可能メモリ１３２などの任意のタイプの適切なメモリの情報にアクセスし、および、データを記憶してもよい。着脱不能メモリ１３０は、ランダムアクセスメモリ（ＲＡＭ）、リードオンリメモリ（ＲＯＭ）、ハードディスク、または他のタイプのメモリ記憶装置を含んでもよい。着脱可能メモリ１３２は、加入者識別モジュール（ＳＩＭ）カード、メモリスティック、セキュアデジタル（ＳＤ）メモリカードなどを含んでもよい。他の実施形態では、プロセッサ１１８は、サーバおよび家庭用コンピュータ（図示せず）などの、物理的にＷＴＲＵ１０２に位置しないメモリからの情報にアクセスし、それにデータを記憶してもよい。
【００３１】
プロセッサ１１８は、電源１３４から電力を受信し、および、その電力をＷＴＲＵ１０２中の他のコンポーネントに分配および／または制御するように構成されてもよい。電源１３４は、ＷＴＲＵ１０２に電力を供給するのに適した任意のデバイスであってもよい。例えば、電源１３４は、１または複数の乾電池（例えばニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）等）、太陽電池、燃料電池などを含んでもよい。
【００３２】
プロセッサ１１８はまた、ＷＴＲＵ１０２の現在の位置に関する位置情報（例えば経度および緯度）を提供するように構成することができる、ＧＰＳチップセット１３６に結合されてもよい。ＧＰＳチップセット１３６からの情報に加えて、またはその代わりに、ＷＴＲＵ１０２は、基地局（例えば基地局１１４ａ、１１４ｂ）からエアインタフェース１１６上で位置情報を受信し、および／または、２つ以上の近隣の基地局から受信された信号のタイミングに基づいて、自身の位置を判定してもよい。ＷＴＲＵ１０２は、実施形態との整合性を維持しながら、任意の適切な位置判定方法で位置情報を取得してもよいことが理解されよう。
【００３３】
プロセッサ１１８はさらに、追加的な特徴、機能性、および／または有線もしくは無線接続を提供する１または複数のソフトウェアモジュールおよび／またはハードウェアモジュールを含むことができる、他の周辺機能１３８に結合されてもよい。例えば、周辺機能１３８は、加速度計、電子コンパス、衛星送受信機、デジタルカメラ（写真または映像用）、ユニバーサルシリアルバス（ＵＳＢ）ポート、振動デバイス、テレビ送受信機、ハンドフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどを含んでもよい。
【００３４】
図１Ｃは、一実施形態に従ったＲＡＮ１０４およびコアネットワーク１０６のシステム図である。ＲＡＮ１０４は、ＩＥＥＥ８０２．１６無線技術を採用して、エアインタフェース１１６上でＷＴＲＵ１０２ａ、１０２ｂ、１０２ｃと通信する、アクセスサービスネットワーク（ＡＳＮ）であってもよい。下記でさらに説明されるように、ＷＴＲＵ１０２ａ、１０２ｂ、１０２ｃ、ＲＡＮ１０４、およびコアネットワーク１０６の異なる機能エンティティ間の通信リンクは、基準点として定義されてもよい。
【００３５】
図１Ｃに示すように、ＲＡＮ１０４は、基地局１４０ａ、１４０ｂ、１４０ｃ、およびＡＳＮゲートウェイ１４２を含んでもよいが、ＲＡＮ１０４は、実施形態との整合性を維持しながら任意の数の基地局およびＡＳＮゲートウェイを含んでもよいことが理解されよう。基地局１４０ａ、１４０ｂ、１４０ｃはそれぞれ、ＲＡＮ１０４における特定のセル（図示せず）に関連付けられてもよく、ならびに、それぞれエアインタフェース１１６上でＷＴＲＵ１０２ａ、１０２ｂ、１０２ｃと通信するための１または複数の送受信機を含んでもよい。一実施形態では、基地局１４０ａ、１４０ｂ、１４０ｃは、ＭＩＭＯ技術を実装してもよい。したがって、基地局１４０ａは、例えば、複数のアンテナを使用して、ＷＴＲＵ１０２ａに無線信号を送信し、および、それらから信号を受信してもよい。基地局１４０ａ、１４０ｂ、１４０ｃはまた、ハンドオフトリガリング、トンネル確立、無線リソース管理、トラフィック分類、サービス品質（ＱｏＳ）ポリシ実施などのモビリティ管理機能を提供してもよい。ＡＳＮゲートウェイ１４２は、トラフィックアグリゲーションポイントとしてサービスし、ならびに、ページング、加入者プロファイルのキャッシュ、およびコアネットワーク１０６へのルーティングなどを担当してもよい。
【００３６】
ＷＴＲＵ１０２ａ、１０２ｂ、１０２ｃとＲＡＮ１０４との間のエアインタフェース１１６は、ＩＥＥＥ８０２．１６規格を実装するＲ１基準点として定義されてもよい。また、ＷＴＲＵ１０２ａ、１０２ｂ、１０２ｃの各々は、コアネットワーク１０６との論理インタフェース（図示せず）を確立してもよい。ＷＴＲＵ１０２ａ、１０２ｂ、１０２ｃとコアネットワーク１０６との間の論理インタフェースは、認証、承認、ＩＰホスト構成、および／またはモビリティ管理に使用することができるＲ２基準点として定義されてもよい。
【００３７】
基地局１４０ａ、１４０ｂ、１４０ｃの各々の間の通信リンクは、ＷＴＲＵハンドオーバおよび基地局間のデータの転送を容易にするプロトコルを含む、Ｒ８基準点として定義されてもよい。基地局１４０ａ、１４０ｂ、１４０ｃとＡＳＮゲートウェイ２１５間の通信リンクは、Ｒ６基準点として定義されてもよい。Ｒ６基準点は、ＷＴＲＵ１０２ａ、１０２ｂ、１０２ｃの各々に関連付けられたモビリティイベントに基づいてモビリティ管理を容易にするプロトコルを含んでもよい。
【００３８】
図１Ｃに示すように、ＲＡＮ１０４は、コアネットワーク１０６に接続されてもよい。ＲＡＮ１０４とコアネットワーク１０６間の通信リンクは、例えば、データ転送およびモビリティ管理能力を容易にするプロトコルを含む、Ｒ３基準点として定義されてもよい。コアネットワーク１０６は、モバイルＩＰホームエージェント（ＭＩＰ−ＨＡ）１４４、認証／認可／課金（ＡＡＡ）サーバ１４６、およびゲートウェイ１４８を含んでもよい。上述の各要素は、コアネットワーク１０６の一部として示されるが、これらの要素のいずれか１つはコアネットワークのオペレータ以外のエンティティによって所有および／または運営されてよいことが理解されよう。
【００３９】
ＭＩＰ−ＨＡは、ＩＰアドレス管理を担当してもよく、ならびに、ＷＴＲＵ１０２ａ、１０２ｂ、１０２ｃが異なるＡＳＮ間および／または異なるコアネットワーク間をローミングすることを可能にする。ＭＩＰ−ＨＡ１４４は、ＷＴＲＵ１０２ａ、１０２ｂ、１０２ｃに、インターネット１１０などのパケット交換ネットワークへのアクセスを提供して、ＷＴＲＵ１０２ａ、１０２ｂ、１０２ｃとＩＰ対応デバイスとの間の通信を容易にしてもよい。ＡＡＡサーバ１４６は、ユーザ認証およびユーザサービスをサポートすることを担当してもよい。ゲートウェイ１４８は、他のネットワークとの相互動作を容易にしてもよい。例えば、ゲートウェイ１４８は、ＷＴＲＵ１０２ａ、１０２ｂ、１０２ｃに、ＰＳＴＮ１０８などの回線交換ネットワークへのアクセスを提供して、ＷＴＲＵ１０２ａ、１０２ｂ、１０２ｃと、従来の陸線通信デバイスとの間の通信を容易にしてもよい。加えて、ゲートウェイ１４８は、ＷＴＲＵ１０２ａ、１０２ｂ、１０２ｃに、他のサービスプロバイダによって所有および／または運営される他の有線または無線ネットワークを含むネットワーク１１２へのアクセスを提供してもよい。
【００４０】
図１Ｃには示さないが、ＲＡＮ１０４は他のＡＳＮに接続されてもよく、および、コアネットワーク１０６は他のコアネットワークに接続されてもよいことが理解されよう。ＲＡＮ１０４と他のＡＳＮとの間の通信リンクは、ＲＡＮ１０４と他のＡＳＮ間のＷＴＲＵ１０２ａ、１０２ｂ、１０２ｃのモビリティを調整するプロトコルを含むことができる、Ｒ４基準点として定義されてもよい。コアネットワーク１０６と他のコアネットワークとの間の通信リンクは、ホームコアネットワークと移動先（visited）コアネットワークとの間の相互動作を容易にするプロトコルを含むことができる、Ｒ５基準点として定義されてもよい。
【００４１】
図２は、１または複数の開示される実施形態が実施することができる例示的な通信システムのシステム図である。図２に示されるのは、ＷＴＲＵ１０２ｄ、１０２ｅ、１０２ｆ、１０２ｇ、ＷＬＡＮ１６０ａ、１６０ｂ、コアネットワーク１０６、ＰＳＴＮ１０８、他のネットワーク１１２、インターネット１１０、サービス２０６ａ、２０６ｂ、２０６ｃ、検出情報サーバ（ＤＩＳ：discovery information server）２０８ａ、２０８ｂ、２０８ｃ、およびＤドメインネームサービス（Ｄ−ＤＮＳ）２１０ａ、２１０ｂ、２１０である。ＷＬＡＮ１０６ａ、１０６ｂは、アクセスルータ１６５ａ、１６５ｂ、アクセスポイント（ＡＰ）１７０ａ、１７０ｂ、サービス２０６ａ、２０６ｂ、ネットワーク管理１６７ａ、１６７ｂ、および検出情報サーバ（ＤＩＳ）２０８ａ、２０８ｂを含んでもよい。ＷＬＡＮ１０６ａ、１０６ｂは、８０２．１１、８０２．１５、８０２．１６、または８０２．１ｘネットワークであり、ＷＴＲＵ１０２ｄ、１０２ｅ、１０２ｆ、１０２ｇは、ＳＴＡ１０２ｄ、１０２ｅ、１０２ｆ、１０２ｇ、またはＵＥ１０２ｄ、１０２ｅ、１０２ｆ、１０２ｇと称されることが多い。一部の実施形態では、ＳＴＡ１０２ｄ、１０２ｅ、１０２ｆ、１０２ｇは、ＳＴＡ１０２ｄ、１０２ｅ、１０２ｆ、１０２ｇにアクセスするアドレスを有することによって定義される。ＷＬＡＮ１０６は、ＷＴＲＵ１０２ｄ、１０２ｅ、１０２ｆ、１０２ｇ、コアネットワーク１０６、ＰＳＴＮ１０８、他のネットワーク１１２、およびインターネット１１０の１または複数に直接接続されてもよく、または、間接的に接続されてもよい。
【００４２】
ＷＴＲＵ１０２ｄ、１０２ｅ、１０２ｆ、１０２ｇは、８０２．１ｘにおいて、ＡＰ１７０ａ、１７０ｂに対するクライアント（ＣＬ）１０２ｄ、１０２ｅ、１０２ｆ、１０２ｇと考えられてもよい。ＷＴＲＵ１０２ｄ、１０２ｅ、１０２ｆ、１０２ｇは、ＷＬＡＮ１６０ａ、１６０ｂに関連付けられなくてもよい。ＷＴＲＵ１０２ｄ、１０２ｅ、１０２ｆ、１０２ｇは、コアネットワーク１０６、ＰＳＴＮ１０８、他のネットワーク１１２、インターネット１１０、サービス２０６ｃ、別のＷＴＲＵ１０２ｄ、１０２ｅ、１０２ｆ、１０２ｇ、またはＷＬＡＮ１０６ａ、１０６ｂの１または複数に関連付けられてもよい。サービス２０６ａ、２０６ｂ、２０６ｃは、ＷＴＲＵ１０２ｄ、１０２ｅ、１０２ｆ、１０２ｇに対して、コアネットワーク１０６、ＰＳＴＮ１０８、他のネットワーク１１２、インターネット１１０、ＷＬＡＮ１０６、もしくはコアネットワーク１０６の１つもしくは複数のコンポーネント、ＰＳＴＮ１０８、他のネットワーク１１２、インターネット１１０、またはＷＬＡＮ１０６によって提供されるいずれかであってもよい。サービス２０６ａ、２０６ｂ、２０６ｃの例は、プリンタサービス２０６ａ、２０６ｂ、２０６ｃを提供する高解像度カラープリンタ、ＷＬＡＮ１６０ａ、１６０ｂを介したインターネット１１０へのアクセス、特定帯域幅でのインターネット１１０へのアクセス、ＶｏＩＰへのアクセス、または３ＧＰＰ  ＬＴＥネットワークなどのコアネットワーク１０６へのアクセスを含む。サービス２０６ａ、２０６ｂ、２０６ｃはそれぞれ独立しているように示されるが、サービス２０６ａ、２０６ｂ、２０６ｃは、ＡＰ１７０ａ、１７０ｂ、アクセスルータ１６５ａ、１６５ｂ、ＤＩＳ２０８ａ、２０８ｂ、２０８ｃ、ｄドメインネームサービス２１０ａ、２１０ｂ、またはＷＬＡＮ１６０ａ、１６０ｂの別のコンポーネントと統合されてもよい。サービス２０６ａ、２０６ｂ、２０６ｃは、コアネットワーク１０６、ＰＳＴＮ１０８、他のネットワーク１１２、インターネット１１０、またはＷＬＡＮ１０６のコンポーネントまたはデバイスを指してもよい。
【００４３】
一部の実施形態では、ＡＰ１７０ａ、１７０ｂは、８０２．１１に対するアクセスポイント、８０２．１６に対する基地局、またはＷＬＡＮ１６０ａ、１６０ｂにアクセスするための別の送信および受信デバイスであってもよい。
【００４４】
ネットワーク管理１６７ａ、１６７ｂは、ＷＬＡＮ１６０ａ、１６０ｂに対するネットワーク管理１６７ａ、１６７ｂサービスを提供してもよい。ネットワーク管理１６７ａ、１６７ｂは、独立したデバイスであってもよく、または、ＷＬＡＮ１６０ａ、１６０ｂの別のコンポーネントと統合されてもよい。例えば、ネットワーク管理１６７ａ、１６７ｂは、ＡＰ１７０ａ、１７０ｂ、ＤＩＳ２０８ａ、２０８ｂ、アクセスルータ１６５ａ、１６５ｂ、ｄドメインネームサービス２１０ａ、２１０ｂ、またはサービス２０６ａ、２０６ｂと統合されてもよい。加えて、一部の実施形態では、ネットワーク管理１６７ａ、１６７ｂの機能の一部は、ＷＬＡＮ１６０ａ、１６０ｂの２つ以上のコンポーネント間で分割されてもよい。ネットワーク管理１６７ａ、１６７ｂは、ＮＡＴサービス、ＩＰフィルタサービス、ＩＰゲートウェイサービスなどのネットワーク管理サービスを提供するように構成されてもよい。一部の実施形態では、ネットワーク管理１６７ａ、１６７ｂの一部は、ＷＬＡＮ１６０ａ、１６０ｂの外部で実行されてもよい。ＤＩＳ２０８ａ、２０８ｂ、２０８ｃは、１または複数のサービス２０６ａ、２０６ｂ、２０６ｃに対するサービス情報を提供するサーバであってもよい。サービス情報は、サービス２０６ａ、２０６ｂ、２０６ｃを識別し、および、ＷＴＲＵ１０２ｄ、１０２ｅ、１０２ｆ、１０２ｇがサービス２０６ａ、２０６ｂ、２０６ｃにアクセスするためのパラメータなどのアクセス情報を提供してもよい。例えば、サービス２０６ａ、２０６ｂ、２０６ｃは、３Ｄプリンタ２０６ａ、２０６ｂ、２０６ｃであってもよく、ならびに、アクセス情報は、印刷機当たりの費用および高解像度カラープリンタ２０６ａ、２０６ｂ、２０６ｃにアクセスするためのＩＰアドレスを含んでもよい。図ではＤＩＳ２０８ａ、２０８ｂ、２０８ｃはそれぞれ独立して示されるが、ＤＩＳ２０８ａ、２０８ｂ、２０８ｃは、ＡＰ１７０ａ、１７０ｂ、アクセスルータ１６５ａ、１６５ｂ、ＤＩＳ２０８ａ、２０８ｂ、２０８ｃ、または別のコンポーネントと統合されてもよい。ＤＩＳ２０８ａ、２０８ｂ、２０８ｃは、３ＧＰＰアクセスネットワーク検出、および３ＧＰＰプロバイダが、ＷＴＲＵ１０２ｄ、１０２ｅ、１０２ｆ、１０２ｇがインターネット１１０にアクセスするのに使用することを望む、ＷＬＡＮ１６０ａ、１６０ｂをＷＴＲＵ１０２ｄ、１０２ｅ、１０２ｆ、１０２ｇが識別するためのサービス２０６ａ、２０６ｂ、２０６ｃを提供することができる、選択機能（ＡＮＤＳＦ）などのネットワーク検出プロトコルまたは検出プロトコルとも称されるネットワークプロトコルを実装するように構成されてもよい。ＤＩＳ２０８ａ、２０８ｂ、２０８ｃは、ＥＡＰ、Ｂｏｎｊｏｕｒ（登録商標）、ＡＮＱＰなどの他のネットワークプロトコルを実装するように構成されてもよい。ＤＩＳ２０８ａ、２０８ｂ、２０８ｃは、ＧＡＳなどのリンクレイヤプロトコルを実装するように構成されてもよい。ＤＩＳ２０８ａ、２０８ｂ、２０８ｃは、ＷＬＡＮ１６０ａ、１６０ｂ、３ＧＰＰネットワーク、または別のネットワーク内に位置してもよい。一部の実施形態では、ＤＩＳ２０８ａ、２０８ｂ、２０８ｃは、静的なＩＰアドレスを有する。一部の実施形態では、ＤＩＳ２０８ａ、２０８ｂ、２０８ｃは非静的なＩＰアドレスを有する。一部の実施形態では、ＤＩＳ２０８ａ、２０８ｂ、２０８ｃは広告サーバと称されてもよい。一部の実施形態では、ＤＩＳ２０８ａ、２０８ｂ、２０８ｃへのアクセスは、ＷＴＲＵ１０２ｄ、１０２ｅ、１０２ｆ、１０２ｇがＤＩＳ２０８ａ、２０８ｂ、２０８ｃと同一のＷＬＡＮ１６０ａ、１６０ｂにあるときにローカルアクセスと称されてもよい。例えば、ＷＴＲＵ１０２ｅがＡＰ１７０ａを介してＤＩＳ２０８ａにアクセスする場合、ＷＴＲＵ１０２ｅはＤＩＳ２０８ａにローカルにアクセスしてもよい。一部の実施形態では、ＤＩＳ２０８ａ、２０８ｂ、２０８ｃへのアクセスは、ＷＴＲＵ１０２ｄ、１０２ｅ、１０２ｆ、１０２ｇがＤＩＳ２０８ａ、２０８ｂ、２０８ｃと異なるＷＬＡＮ１６０ａ、１６０ｂにあるときに、リモートアクセスと称されてもよい。例えば、ＷＴＲＵ１０２ｅがＡＰ１７０ａを使用してＤＩＳ２０８ｂまたはＤＩＳ２０８ｃにアクセスするときに、ＷＴＲＵ１０２ｅは、ＤＩＳ２０８ｂまたはＤＩＳ２０８ｃにリモートにアクセスしていることになる。
【００４５】
一部の実施形態では、ＤＩＳ２０８ａ、２０８ｂ、２０８ｃは、ＤＩＳ２０８ａ、２０８ｂ、２０８ｃにクエリするＷＴＲＵ１０２ｄ、１０２ｅ、１０２ｆ、１０２ｇへのオープンアクセスを許可する。例えば、ＤＩＳ２０８ａ、２０８ｂ、２０８ｃは、ゲストに利用可能なプリントサービスおよびその他のホテルサービスを広告してもよい。一部の実施形態では、Ｂｏｎｊｏｕｒ（登録商標）がオープンアクセスである。
【００４６】
一部の実施形態では、ＤＩＳ２０８ａ、２０８ｂ、２０８ｃは直接認証を要求する。ＤＩＳ２０８ａ、２０８ｂ、２０８ｃは、ＤＩＳ２０８ａ、２０８ｂ、２０８ｃにアクセスするために、ＷＴＲＵ１０２ｄ、１０２ｅ、１０２ｆ、１０２ｇに対してＤＩＳ２０８ａ、２０８ｂ、２０８ｃを認証することを要求してもよい。一部の実施形態では、ＷＴＲＵ１０２ｄ、１０２ｅ、１０２ｆ、１０２ｇは、ＤＩＳ２０８ａ、２０８ｂ、２０８ｃに対してＷＴＲＵ１０２ｄ、１０２ｅ、１０２ｆ、１０２ｇを認証することを要求してもよい。その例は、ＤＩＳ２０８ａ、２０８ｂ、２０８ｃがクラウドサービスプロバイダまたはモバイル仮想ネットワークオペレータ（ＭＶＮＯ）であることを含む。ＭＶＮＯであるＤＩＳ２０８ａ、２０８ｂ、２０８ｃは、ＭＶＮＯであるＤＩＳ２０８ａ、２０８ｂ、２０８ｃが顧客のＷＴＲＵ１０２ｄ、１０２ｅ、１０２ｆ、１０２ｇに情報を開示する前に、顧客に対し、ＭＶＮＯであるＤＩＳ２０８ａ、２０８ｂ、２０８ｃを認証することを必要とする、それらが同意しているネットワークを顧客以外に広告することを望まない場合がある。
【００４７】
一部の実施形態では、ＤＩＳ２０８ａ、２０８ｂ、２０８ｃへのアクセスの許可は、別の認証情報（credential）のセットからブートストラップ（bootstrap）されてもよい。例えば、ＡＮＤＳＦであるＤＩＳ２０８ａ、２０８ｂ、２０８ｃでは、ＡＮＤＳＦであるＤＩＳ２０８ａ、２０８ｂ、２０８ｃへのアクセスは、ＷＴＲＵ１０２ｄ、１０２ｅ、１０２ｆ、１０２ｇの３ＧＰＰネットワーク承認からブートストラップされてもよい。
【００４８】
一部の実施形態では、ＤＩＳ２０８ａ、２０８ｂ、２０８ｃは、検出を実行して、サービス２０６ａ、２０６ｂ、２０６ｃに関する情報を取得してもよい。一部の実施形態では、ＤＩＳ２０８ａ、２０８ｂ、２０８ｃは、ローカルピアツーピアデバイス（ＬＰＰ）に関する情報を検出し、および、その情報をＷＴＲＵ１０２ｄ、１０２ｅ、１０２ｆ、１０２ｇに提供してもよい。例えば、ＤＩＳ２０８ａは、サービス２０６ａに関する情報を検出してもよい。ＤＩＳ２０８ａ、２０８ｂ、２０８ｃは、サービス２０６ａでローカルに位置し、および、ピアデバイスであるサービス２０６ａは、自身のサービス能力を広告することを望むことがある。
【００４９】
サービス２０６ａ、２０６ｂ、２０６ｃの使用を望むことがあるＷＴＲＵ１０２ｄ、１０２ｅ、１０２ｆ、１０２ｇのユーザ（図示せず）の近接していることは、サービス２０６ａ、２０６ｂ、２０６ｃの検出の重要な側面であることがあり、そのため、サービス２０６ａ、２０６ｂ、２０６ｃがＷＴＲＵ１０２ｄ、１０２ｅ、１０２ｆ、１０２ｇに対してローカルであるかが重要であることがある。加えて、ＷＴＲＵ１０２ｄ、１０２ｅ、１０２ｆ、１０２ｇと、サービス２０６ａ、２０６ｂ、２０６ｃとが物理的に近接していることが重要であることがある。例えば、サービス２０６ａ、２０６ｂ、２０６ｃは、自身の位置、ＷＬＡＮ１６０ａ、１６０ｂを介したアクセス性、ならびに提供することができるサービス２０６ａ、２０６ｂ、２０６ｃの詳細を広告する、ＤＩＳ２０８ａ、２０８ｂ、２０８ｃでもある、ネットワークプリンタであってもよい。例えば、ネットワークプリンタであるサービス２０６ａ、２０６ｂ、２０６ｃは、それが、プリント当たり特定の価格で利用可能なレーザプリンタであることを広告してもよい。
【００５０】
一部の実施形態では、ＤＩＳ２０８ａ、２０８ｂ、２０８ｃは、Ｂｏｎｊｏｕｒベースのピア検出を使用して、サービス２０６ａ、２０６ｂ、２０６ｃについての情報を取得してもよい。一部の実施形態では、ＤＩＳ２０８ａ、２０８ｂ、２０８ｃは、ソーシャルネットワークサークルの一部である、近接ＷＴＲＵ１０２ｄ、１０２ｅ、１０２ｆ、１０２ｇを検出してもよい。一部の実施形態では、ＤＩＳ２０８ａ、２０８ｂ、２０８ｃは、対話型ゲームなどの同一のサービス２０６ａ、２０６ｂ、２０６ｃの一部である、近接ＷＴＲＵ１０２ｄ、１０２ｅ、１０２ｆ、１０２ｇを検出してもよい。ＤＩＳ２０８ａ、２０８ｂ、２０８ｃは、その情報を使用して、対話型ゲームであるサービス２０６ａ、２０６ｂ、２０６ｃを使用しているＷＴＲＵ１０２ｄ、１０２ｅ、１０２ｆ、１０２ｇに対する最適化された接続をセットアップしてもよい。
【００５１】
一部の実施形態では、ＷＴＲＵ１０２ｄ、１０２ｅ、１０２ｆ、１０２ｇは、ＤＩＳ２０８ａ、２０８ｂ、２０８ｃのＩＰアドレスの検出を試みて、ＷＴＲＵ１０２ｄ、１０２ｅ、１０２ｆ、１０２ｇが検出情報に対してＤＩＳ２０８ａ、２０８ｂ、２０８ｃにクエリすることができるようにしてもよい。
【００５２】
一部の実施形態では、ＷＴＲＵ１０２ｄ、１０２ｅ、１０２ｆ、１０２ｇは、リモートピアツーピア（ＲＰＰ）通信サービスであるサービス２０６ａ、２０６ｂ、２０６ｃに関する情報を検出することを望む。サービス２０６ａ、２０６ｂ、２０６ｃ、すなわちピアは、ＷＴＲＵ１０２ｄ、１０２ｅ、１０２ｆ、１０２ｇに対してリモートであってもよい。サービス２０６ａ、２０６ｂ、２０６ｃ、すなわちピアは、サービス２０６ａ、２０６ｂ、２０６ｃ、すなわちピアが、ＷＴＲＵ１０２ｄ、１０２ｅ、１０２ｆ、１０２ｇと異なるネットワーク上にある場合は、ＷＴＲＵ１０２ｄ、１０２ｅ、１０２ｆ、１０２ｇに対してリモートと見なされ、そのため、リンクローカルＩＰアドレスは、ＷＴＲＵ１０２ｄ、１０２ｅ、１０２ｆ、１０２ｇが、リモートであるサービス２０６ａ、２０６ｂ、２０６ｃ、すなわちピアと通信するためには機能しないことがある。例えば、サービス２０６ｂまたはサービス２０６ｃにアクセスするために、アクセスルータ１６５ａ、１６５ｂがサービス２０６ｂ、２０６ｃとＷＴＲＵ１０２ｅとの間にあることから、ＷＴＲＵ１０２ｅがＡＰ１７０ａを介して通信している場合、サービス２０６ｂおよびサービス２０６ｃは、リモートであるサービス２０６ｂ、２０６ｃであってもよい。
【００５３】
一部の実施形態では、ＷＴＲＵ１０２ｄ、１０２ｅ、１０２ｆ、１０２ｇが、ローカルサーバベース検出（ＬＳＤ）に関する情報を検出することを望むことがある。この使用ケースのカテゴリは、ＤＩＳ２０８ａ、２０８ｂ、２０８ｃが、ＷＴＲＵ１０２ｄ、１０２ｅ、１０２ｆ、１０２ｇが通信に使用しているＡＰ１７０ａ、１７０ｂと同一のネットワークに位置するそれらのケースを取り込む（capture）。例えば、それは、機能的にはＡＰ１７０ａ、１７０ｂとコロケートされた（co-located）、または同一のネットワーク上にあるとみなされてもよく、したがって、例えばリンクローカルアドレス指定ＩＰアドレス指定は、ＷＴＲＵ１０２ｄ、１０２ｅ、１０２ｆ、１０２ｇ、またはサービス２０６ａ、２０６ｂ、２０６ｃがＤＩＳ２０８ａ、２０８ｂ、２０８ｃと通信するのに十分である。
【００５４】
一部の実施形態では、ＷＴＲＵ１０２ｄ、１０２ｅ、１０２ｆ、１０２ｇは、ＬＳＤに対し、ＤＩＳ２０８ａ、２０８ｂ、２０８ｃのＩＰアドレスには直接関係しなくてもよい。一部の実施形態では、ＤＩＳ２０８ａ、２０８ｂ、２０８ｃが使用されて、ＷＴＲＵ１０２ｄ、１０２ｅ、１０２ｆ、１０２ｇによって使用される一部の他の情報を提供してもよい。一部の実施形態では、ＤＩＳ２０８ａ、２０８ｂ、２０８ｃは、利用可能なプリンタの中央データベース、ならびに、ホテルがそのゲストに提供するすべてのサービス、ＡＮＱＰを介してアクセスされるＷＬＡＮ１６０ａ、１６０ｂ、ホットスポットの予約情報サーバ、ＡＮＤＳＦなどのマクロネットワーク情報サービスのローカライズされたミラー、または、費用を含むＷＬＡＮ１６０ａ、１６０ｂを通じてアクセスすることができるサービスを広告するＷＬＡＮ１６０ａ、１６０ｂなどのデータベースに集中化されてもよい。
【００５５】
一部のＷＬＡＮ１６０ａ、１６０ｂは、デバイスまたはサービスプロバイダがサポートしているサービス２０６ａ、２０６ｂ、２０６ｃをＤＩＳ２０８ａ、２０８ｂ、２０８ｃに登録するための手段を提供することによって、ピアツーピアであるサービス２０６ａ、２０６ｂ、２０６ｃをサポートする。サービス２０６ａ、２０６ｂ、２０６ｃの登録は、デバイスであってもよいサービス２０６ａ、２０６ｂ、２０６ｃによって、ＤＩＳ２０８ａ、２０８ｂ、２０８ｃに対して実行されてもよい
【００５６】
一部の実施形態では、ＷＴＲＵ１０２ｄ、１０２ｅ、１０２ｆ、１０２ｇは、リモートであるＤＩＳ２０８ａ、２０８ｂ、２０８ｃに関する情報を検出することを望むことがある。ＷＴＲＵ１０２ｄ、１０２ｅ、１０２ｆ、１０２ｇがリモートであるＤＩＳ２８０にアクセスする検出を実行するときに、ＷＴＲＵ１０２ｄ、１０２ｅ、１０２ｆ、１０２ｇは、リモートサーバベース検出（ＲＳＤ）を実行していてもよい。ＤＩＳ２０８ａ、２０８ｂ、２０８ｃは、ＤＩＳ２０８ａ、２０８ｂ、２０８ｃが、ＷＴＲＵ１０２ｄ、１０２ｅ、１０２ｆ、１０２ｇが通信しているＡＰ１７０ａ、１７０ｂの一部でないときに、リモートと称されてもよい。リモートであるＤＩＳ２０８ａ、２０８ｂ、２０８ｃの、ＩＰアドレスであってもよい位置は、ＷＴＲＵ１０２ｄ、１０２ｅ、１０２ｆ、１０２ｇによって使用されて、ＤＩＳ２０８ａ、２０８ｂ、２０８ｃによって提供されることが可能な情報にアクセスしてもよい。一部の実施形態では、ＷＴＲＵ１０２ｄ、１０２ｅ、１０２ｆ、１０２ｇに対してリモートであるＤＩＳ２０８ａ、２０８ｂ、２０８ｃは、ローカルアクセス手段を使用して、ＷＴＲＵ１０２ｄ、１０２ｅ、１０２ｆ、１０２ｇにアクセス可能でないことがある。さらに、リモートであるＤＩＳ２０８ａ、２０８ｂ、２０８ｃは、ＤＩＳ２０８ａ、２０８ｂ、２０８ｃに対してローカルであるサービス２０６ａ、２０６ｂ、２０６ｃに関する情報は含まないことがある。一部の例は、ＭＶＮＯベースアクセスに使用することができるアクセスネットワークをリスト化するＭＶＮＯデータベースであるＤＩＳ２０８ａ、２０８ｂ、２０８ｃ、顧客がそのサービスにアクセスするために契約しているアクセスネットワークをリスト化するクラウドサービスプロバイダであるＤＩＳ２０８ａ、２０８ｂ、２０８ｃ、サービス２０６ａ、２０６ｂ、２０６ｃにアクセスするために使用することができるホットスポットをリスト化するサービスプロバイダ、例えばモバイルオペレータ、またはコンテンツプロバイダであるＤＩＳ２０８ａ、２０８ｂ、２０８ｃを含む。ＤＩＳ２０８ａ、２０８ｂ、２０８ｃの別の例は、インターネット１１０または別のネットワークを介して、ＷＬＡＮ１６０ａ、１６０ｂなどの非３ＧＰＰアクセスネットワークを通じて、ＷＴＲＵ１０２ｄ、１０２ｅ、１０２ｆ、１０２ｇによってアクセスすることができる、ＲＳＤ  ＡＮＤＳＦである、ＤＩＳ２０８ａ、２０８ｂ、２０８ｃである。
【００５７】
１または複数のＡＰ１７０ａ、１７０ｂは、８０２．１１ｕで規定される８０２．１１に対する標準であるアクセスネットワーククエリプロトコル（ＡＮＡＱ）などのネットワークプロトコルを実装するように構成されてもよい。ＡＰ１７０ａ、１７０ｂ、およびＷＴＲＵ１０２ｄ、１０２ｅ、１０２ｆ、１０２ｇは、８０２．１ｘネットワークで実装することができる汎用広告サービス（ＧＡＳ）プロトコルを実装するように構成されてもよい。
【００５８】
ＷＬＡＮ１６０ａ、１６０ｂの１または複数のコンポーネントは、サービス２０６ａ、２０６ｂ、２０６ｃを検出するのに使用することができるゼロ・コンフィギュレーション（zeroconf）などのネットワークプロトコル、またはＢｏｎｊｏｕｒ（登録商標）などのゼロ・コンフィギュレーションの派生実装を実装するように構成されてもよい。
【００５９】
一部の実施形態では、ＡＰ１７０ａ、１７０ｂ、またはＷＬＡＮ１６０ａ、１６０ｂの別のコンポーネントは、ネットワークアドレス変換（ＮＡＴ）を実装するように構成されてもよい。ＡＰ１７０ａ、１７０ｂの機能の一部は、ＷＬＡＮ１６０ａ、１６０ｂの別のノードもしくはホスト、または、ＡＰ１７０ａ、１７０ｂがアクセスを提供する別のネットワークによって提供されてもよい。
【００６０】
Ｄ−ＤＮＳ２１０ａ、２１０ｂ、２１０ｃは、所与の名前に対するＩＰアドレスを返すように構成されてもよい。一部の実施形態では、Ｄ−ＤＮＳ２１０ａ、２１０ｂ、２１０ｃは、ＷＴＲＵ１０２ｄ、１０２ｅ、１０２ｆ、１０２ｇに返されるＩＰアドレスを制約するように構成されてもよい。Ｄ−ＤＮＳ２１０ａ、２１０ｂ、２１０ｃは、ＷＴＲＵ１０２ｄ、１０２ｅ、１０２ｆ、１０２ｇがＡＰ１７０ａ、１７０ｂとの関連付けられていない場合に、ＷＴＲＵ１０２ｄ、１０２ｅ、１０２ｆ、１０２ｇに返されるＩＰアドレスを制約するように構成されてもよい。
【００６１】
以下の説明を通じて、ＷＴＲＵ１０２ｄ、１０２ｅ、１０２ｆ、１０２ｇは、ＷＴＲＵ１０２ｄ、１０２ｅ、１０２ｆ、１０２ｇ、またはＷＴＲＵ１０２ｄ、１０２ｅ、１０２ｆ、１０２ｇ、またはＷＴＲＵ１０２ｄ、１０２ｅ、１０２ｆ、１０２ｇのユーザ、またはＷＴＲＵ１０２ｄ、１０２ｅ、１０２ｆ、１０２ｇのユーザを指してもよい。ＷＴＲＵ１０２ｄ、１０２ｅ、１０２ｆ、１０２ｇは、サービス１０６を使用することを望むが、ＷＬＡＮ１６０ａ、１６０ｂに関連付けの前にＷＬＡＮ１６０ａ、１６０ｂがそのサービス１０６を提供するか否かを知ることを望むことがある。一部の実施形態では、ＷＴＲＵ１０２ｄ、１０２ｅ、１０２ｆ、１０２ｇをＷＬＡＮ１６０ａ、１６０ｂに関連付けるために、ＷＴＲＵ１０２ｄ、１０２ｅ、１０２ｆ、１０２ｇ、およびＷＬＡＮ１６０ａ、１６０ｂは、ＷＬＡＮ１６０ａ、１６０ｂを関連付けるための支払い情報を提供するようにＷＴＲＵ１０２ｄ、１０２ｅ、１０２ｆ、１０２ｇに要求することができる、マルチステップ処理を実行する。
【００６２】
加えて、利用可能な多くのＷＬＡＮ１６０ａ、１６０ｂが存在してもよく、ならびに、それらは、それぞれのＷＬＡＮ１６０ａ、１６０ｂと関連付けし、ＷＴＲＵ１０２ｄ、１０２ｅ、１０２ｆ、１０２ｇが使用することを望む１または複数のサービス２０６ａ、２０６ｂ、２０６ｃに基づいて、ＷＬＡＮ１６０ａ、１６０ｂがＷＴＲＵ１０２ｄ、１０２ｅ、１０２ｆ、１０２ｇに適しているかどうかを評価することが現実的でないことがある。一部の実施形態では、ＷＴＲＵ１０２ｄ、１０２ｅ、１０２ｆ、１０２ｇは、ＷＬＡＮ１６０ａ、１６０ｂを関連付ける前に、ＷＬＡＮ１６０ａ、１６０ｂに対するインターネットプロトコル（ＩＰ）アドレスを有していないことがある。
【００６３】
図３Ａは、一部の開示される実施形態に従って、事前関連付け検出（ＰＡＤ）に対するＩＰアドレスを取得する、ＷＴＲＵ１０２ｄ、１０２ｅ、１０２ｆ、１０２ｇの例を示す。一部の実施形態では、ＷＴＲＵ１０２ｄ、１０２ｅ、１０２ｆ、１０２ｇは、ＩＰアドレス３０２をランダムに選択してもよい。一部の実施形態では、ＩＰアドレス３０２の組または空間は、ＰＡＤの目的で割り当てられてもよい。一部の実施形態では、ＷＴＲＵ１０２ｄ、１０２ｅ、１０２ｆ、１０２ｇは、ＰＡＤの目的に割り当てられたＩＰアドレスの空間からランダムにＩＰアドレスを選択してもよい。一部の実施形態では、ＷＴＲＵ１０２ｄ、１０２ｅ、１０２ｆ、１０２ｇは、ＷＴＲＵ１０２ｄ、１０２ｅ、１０２ｆ、１０２ｇの位置、現在の時間、８０２．１１物理アドレス、イーサネットアドレス、または、ＩＰアドレス空間からすでに取得されたＩＰアドレスを選択する可能性を低減することができる、ＷＴＲＵ１０２ｄ、１０２ｅ、１０２ｆ、１０２ｇによって使用することができる、ＡＰ１７０ａ、１７０ｂ、ＷＬＡＮ１６０ａ、１６０ｂ、もしくはＷＴＲＵ１０２ｄ、１０２ｅ、１０２ｆ、１０２ｇに関連付けられた他の番号に基づいている、一部の基準に基づいてＩＰアドレスを選択してもよい。利用可能なＩＰアドレス３０２の空間は、事前に定義されてもよい。一部の実施形態では、ＩＰアドレス３０２は、使用に対して制限されてもよい。制限３０４の例は、期限満了の前にＩＰアドレス３０２を使用することができる存続期間または時間量、およびＩＰアドレスの期間満了のまえにＩＰアドレス３０２を使用して送信されたパケット数を含む。ＩＰアドレス３０２の他の制限３０４が使用されてもよい。一部の実施形態では、制限３０４は事前定義されてもよい。一部の実施形態では、ＷＴＲＵ１０２ｄ、１０２ｅ、１０２ｆ、１０２ｇが制限３０４を受信してもよい。
【００６４】
図３Ｂは、一部の開示される実施形態に従って、ＷＬＡＮ１６０ａ、１６０ｂからＰＡＤに対するＩＰアドレスを取得するＷＴＲＵの例を示す。一部の実施形態では、ＡＰ１７０ａ、１７０ｂは、ブロードキャストメッセージ３０６で１または複数のＩＰアドレス３０２を送信してもよい。ネットワーク管理１６７ａ、１６７ｂは、ブロードキャストメッセージ３０６で送信するＡＰ１７０ａ、１７０ｂに対するＩＰアドレス３０２を判定してもよい。一部の実施形態では、ＡＰ１７０ａ、１７０ｂとネットワーク管理１６７ａ、１６７ｂとは、同一のデバイスに統合されてもよい。ＷＴＲＵ１０２ｄ、１０２ｅ、１０２ｆ、１０２ｇは、ＰＡＤに使用するＩＰアドレス３０２をブロードキャストメッセージ３０６から選択してもよい。一部の実施形態では、ＩＰアドレス３０２の使用が制限されてもよい。一部の実施形態では、制限３０４は、ＡＰ１７０ａ、１７０ｂからＷＴＲＵ１０２ｄ、１０２ｅ、１０２ｆ、１０２ｇに送信されてもよく、ネットワーク管理１６７ａ、１６７ｂによって判定されてもよい。一部の実施形態では、ブロードキャストメッセージ３０６は、サービスダイジェストブロードキャストの一部であってもよい。
【００６５】
図３Ｃは、一部の開示される実施形態に従って、ＰＡＤに対するＩＰアドレスをＷＬＡＮ１６０ａ、１６０ｂからＷＴＲＵの取得する例を示す。ＷＴＲＵ１０２ｄ、１０２ｅ、１０２ｆ、１０２ｇは、ＡＰ１７０ａ、１７０ｂを介してＷＬＡＮ１６０ａ、１６０ｂにメッセージ３０８を送信し、ＷＬＡＮ１６０ａ、１６０ｂは、ＡＰ１７０ａ、１７０ｂを介して応答メッセージ３１０で１または複数のＩＰアドレス３０２で応答する。ネットワーク管理１６７ａ、１６７ｂが１または複数のＩＰアドレス３０２を判定してもよい。メッセージ３０８は、Ｌ２検出方法の一部であってもよい。メッセージ３０８は直接Ｌ２ＰＡＤクエリであってもよい。ＷＴＲＵ１０２ｄ、１０２ｅ、１０２ｆ、１０２ｇが１または複数のＩＰアドレス３０２を取得するために、ＷＴＲＵ１０２ｄ、１０２ｅ、１０２ｆ、１０２ｇと、ＷＬＡＮ１６０ａ、１６０ｂとの間でより多くのメッセージ（図示せず）が交換されてもよい。加えて、メッセージ３０８は、ＷＴＲＵ１０２ｄ、１０２ｅ、１０２ｆ、１０２ｇがＷＬＡＮ１６０ａ、１６０ｂからＩＰアドレス３０２を受信することができることを示す、ＷＬＡＮ１６０ａ、１６０ｂからＷＴＲＵ１０２ｄ、１０２ｅ、１０２ｆ、１０２ｇに受信されるメッセージ（図示せず）への応答であってもよい。
【００６６】
一部の実施形態では、複数のＷＴＲＵ１０２ｄ、１０２ｅ、１０２ｆ、１０２ｇが同一のＩＰアドレス３０２を使用する場合、ＷＬＡＮ１６０ａ、１６０ｂは、同一のＩＰアドレス３０２を使用しているＷＴＲＵ１０２ｄ、１０２ｅ、１０２ｆ、１０２ｇの１または複数を拒否するように構成されてもよい。一部の実施形態では、ＷＬＡＮ１６０ａ、１６０ｂは、ＩＰアドレス３０２がＷＴＲＵ１０２ｄ、１０２ｅ、１０２ｆ、１０２ｇによって使用されている場合には、ＩＰアドレス３０２をブロードキャストすることを中止するように構成されてもよい。一部の実施形態では、ＩＰアドレス３０２を使用したＷＴＲＵ１０２ｄ、１０２ｅ、１０２ｆ、１０２ｇのセッション要求が拒否された場合、ＷＴＲＵ１０２ｄ、１０２ｅ、１０２ｆ、１０２ｇは、開示される実施形態の１つに従って、別のＩＰアドレス３０２を取得し、ＷＬＡＮ１６０ａ、１６０ｂとの新しいセッションを試みてもよい。一部の実施形態では、セッション要求が拒否された後に、ＷＴＲＵ１０２ｄ、１０２ｅ、１０２ｆ、１０２ｇは、ＷＬＡＮ１６０ａ、１６０ｂとの関連付けを試みる前に、ある期間、待機またはバックオフ（back off）してもよい。ＷＴＲＵ１０２ｄ、１０２ｅ、１０２ｆ、１０２ｇは、ＷＴＲＵ１０２ｄ、１０２ｅ、１０２ｆ、１０２ｇが拒否された回数と共に増加する期間、待機してもよい。
【００６７】
一部の実施形態では、ＷＬＡＮ１６０ａ、１６０ｂは、ブロードキャストするＩＰアドレスの数を制御することによって、ＰＡＤトラフィックの量を制御してもよく、ＩＰアドレス３０２をブロードキャストすることを中断することによって、すべてのＰＡＤトラフィックを中断してもよい。
【００６８】
図４は、一部の開示される実施形態に従って、ＰＡＤ方法の例を示す。方法４００は、ＩＰアドレス４０２の取得から開始してもよい。ＷＴＲＵ１０２ｄ、１０２ｅ、１０２ｆ、１０２ｇは、図３と関連して説明した方法の１つに従って、ＩＰアドレス３０２を取得してもよい。ＷＴＲＵ１０２ｄ、１０２ｅ、１０２ｆ、１０２ｇは、ＩＰアドレス４０２を８０２．１ｘインタフェースにバインド（bind）してもよい。ＷＴＲＵ１０２ｄ、１０２ｅ、１０２ｆ、１０２ｇは、ＡＰ１７０ａ、１７０ｂ、またはネットワーク管理１６７ａ、１６７ｂからセッションＩＤ（図示せず）を取得してもよい。例えば、ＷＬＡＮ１６０ａ、１６０ｂは、ＡＰ１７０ａ、１７０ｂと統合されてもよいネットワーク管理１６７ａ、１６７ｂを使用して、セッションＩＤを判定してもよく、ＡＰ１７０ａ、ＡＰ１７０ｂを介してＷＴＲＵ１２０ｅ、１２０ｆ、１２０ｇにセッションＩＤを送信してもよい。
【００６９】
方法４００は、ＷＴＲＵ１０２ｄ、１０２ｅ、１０２ｆ、１０２ｇが、Ｄ−ＤＮＳ２１０ａ、２１０ｂ、２１０ｃに、ＤＩＳ名４０６を含むことができるＤ−ＤＮＳ要求４０４を送信することを継続してもよい。ＤＩＳ名４０６は、所定のＤＩＳ名４０６であってもよい。一部の実施形態では、要求はＤＩＳ名４０６およびセッションＩＤを含まなければならない。
【００７０】
一部の実施形態では、ＡＰ１７０ａ、１７０ｂは、ローカルであるＤ−ＤＮＳ２１０ａ、２１０ｂ、２１０ｃとの通信を除いて、ＩＰアドレス３０２に対するすべての通信を制限する。Ｄ−ＤＮＳ２１０ａ、２１０ｂ、２１０ｃは、Ｄ−ＤＮＳ２１０ａ、２１０ｂ、２１０ｃがＡＰ１７０ａ、１７０ｂとコロケートされ、または、ＷＬＡＮ１６０ａ、１６０ｂとすることができる、同一のプライベートネットワークの一部である場合に、ローカルとみなされてもよい。例えば、ＡＰ１７０ａは、Ｄ−ＤＮＳ２１０ａと通信するためのＷＴＲＵ１０２ｅとのすべての通信を制限してもよい。Ｄ−ＤＮＳ２１０ａのＩＰアドレスは、ＡＰ１７０ａ、１７０ｂを介してネットワーク管理１６７ａ、１６７ｂによってＷＴＲＵ１０２ｄ、１０２ｅ、１０２ｆ、１０２ｇに提供されてもよい。例えば、ＡＰ１７０ａ、１７０ｂ、またはネットワーク管理１６７ａ、１６７ｂは、Ｄ−ＤＮＳ２１０ａ、２１０ｂ、２１０ｃのＩＰアドレスを、ブロードキャストまたはクエリベースとすることができる初期Ｌ２  ＰＡＤプロシージャの一部として提供してもよい。一部の実施形態では、ＷＴＲＵ１０２ｄ、１０２ｅ、１０２ｆ、１０２ｇは、ＰＡＤの目的で同意されたアドレスなどの、別の方式でＤ−ＤＮＳ２１０ａ、２１０ｂ、２１０ｃのＩＰアドレスを判定してもよい。
【００７１】
方法４００は、ＤＩＳ名前解決処理４０６を継続してもよい。一部の実施形態では、Ｄ−ＤＮＳ２１０ａ、２１０ｂ、２１０ｃは、要求されたルックアップ（lookup）を実行して、ＤＩＳ２０８ａ、２０８ｂ、２０８ｃのＩＰアドレスを判定してもよい。一部の実施形態では、Ｄ−ＤＮＳ２１０ａ、２１０ｂ、２１０ｃは、ＤＩＳ２０８ａ、２０８ｂ、２０８ｃのＩＰアドレスを解決することを目的に、ＤＮＳプロキシまたはプロプライエタリ（proprietary）名前解決サーバとして機能してもよい。一部の実施形態では、Ｄ−ＤＮＳ２１０ａ、２１０ｂ、２１０ｃは、サポートされるＤＩＳ２０８ａ、２０８ｂ、２０８ｃの一部またはすべてに対し、ＤＩＳ２０８ａ、２０８ｂ、２０８ｃのＩＰアドレスのローカルリストを保持することができる。一部の実施形態では、Ｄ−ＤＮＳ２１０ａ、２１０ｂ、２１０ｃは、ＤＩＳ名４１４を、ＷＴＲＵ１０２ｄ、１０２ｅ、１０２ｆ、１０２ｇがアクセスを許可される、許可ＤＩＳ２０８ａ、２０８ｂ、２０８ｃのリストとチェックするように構成されてもよい。一部の実施形態では、ＤＩＳ名４１４が許可されない場合、Ｄ−ＤＮＳ２１０ａ、２１０ｂ、２１０ｃはＷＴＲＵ１０２ｄ、１０２ｅ、１０２ｆ、１０２ｇにエラーを返す。エラーは、ＰＡＤプロシージャを終了することができ、それによりセッションＩＤを無効にすることができる。Ｄ−ＤＮＳ２１０ａ、２１０ｂ、２１０ｃは、ネットワーク管理１６７ａ、１６７ｂ、またはＡＰ１７０ａ、１７０ｂに、ＷＴＲＵ１０２ｄ、１０２ｅ、１０２ｆ、１０２ｇが、ＷＴＲＵ１０２ｄ、１０２ｅ、１０２ｆ、１０２ｇがアクセスを許可されていないＤＩＳ名４１４の使用を試みたことを通知してもよく、その結果、ネットワーク管理１６７ａ、１６７ｂ、またはＡＰ１７０ａ、１７０ｂがＷＴＲＵ１０２ｄ、１０２ｅ、１０２ｆ、１０２ｇとのＰＡＤプロシージャを終了することになる。ネットワーク管理１６７ａ、１６７ｂ、またはＡＰ１７０ａ、１７０ｂは、例えば、ＩＰアドレス３０２を無効にし、または、ＩＰアドレスを利用可能なＩＰアドレス３０２のプールに戻してもよい。
【００７２】
方法４００は、Ｄ−ＤＮＳがＤＩＳアクセスの通知をＡＰ４０８に送信することを継続してもよい。例えば、Ｄ−ＤＮＳ２１０ａ、２１０ｂ、２１０ｃは、解決がＤＩＳ２０８ａ、２０８ｂ、２０８ｃのＩＰアドレスとすることができる、ＤＩＳ名４１４の解決をＡＰ１７０ａ、１７０ｂに通知するように構成されてもよい。ネットワーク管理１６７ａ、１６７ｂ、またはＡＰ１７０ａ、１７０ｂは、ＷＴＲＵ１０２ｄ、１０２ｅ、１０２ｆ、１０２ｇのＩＰアドレス３０２を、ＤＩＳ２０８ａ、２０８ｂ、２０８ｃのＩＰアドレスに関連付けるように構成されてもよい。そして、ＡＰ１７０ａ、１７０ｂは、ＷＴＲＵ１０２ｄ、１０２ｅ、１０２ｆ、１０２ｇが、ＤＩＳ２０８ａ、２０８ｂ、２０８ｃのＩＰアドレスと通信することを許可してもよい。Ｄ−ＤＮＳ２１０ａ、２１０ｂ、２１０ｃは、ＤＩＳ２０８ａ、２０８ｂ、２０８ｃに関する追加的な情報をネットワーク管理１６７ａ、１６７ｂ、またはＡＰ１７０ａ、１７０ｂに提供してもよい。例えば、Ｄ−ＤＮＳ２１０ａ、２１０ｂ、２１０ｃは、ＰＡＤを使用するアプリケーションの詳細および／またはＤＩＳ２０８ａ、２０８ｂ、２０８ｃでの検出のためのプロトコル署名を含んでもよい。ネットワーク管理１６７ａ、１６７ｂ、またはＡＰ１７０ａ、１７０ｂは、ＷＬＡＮ１６０ａ、１６０ｂ、またはＡＰ１７０ａ、１７０ｂのファイアウォールに署名をロードすることにより、ＤＰＩを実行する必要なしに、Ｌ７ベースブロッキングを直ちに有効にするように構成されてもよい。一部の実施形態では、ネットワーク管理１６７ａ、１６７ｂ、またはＡＰ１７０ａ、１７０ｂは、ＷＴＲＵ１０２ｄ、１０２ｅ、１０２ｆ、１０２ｇにＰＡＤセッションの残りに対する異なるＩＰアドレスを使用するよう要求することによって、Ｄ−ＤＮＳ２１０ａ、２１０ｂ、２１０ｃに応答してもよい（図４には図示せず）。
【００７３】
方法４００は、Ｄ−ＤＮＳがＷＴＲＵ４１０に応答を送信することを継続してもよい。例えば、Ｄ−ＤＮＳ応答４１８は、ＤＩＳ名４１４に基づいているＤＩＳ２０８ａ、２０８ｂ、２０８ｃのＩＰアドレスを含んでもよい。追加的な情報がＤ−ＤＮＳ応答４１８に含まれてもよい。例えば、Ｄ−ＤＮＳ応答４１８は、切り替えるのに使用するための新たなＩＰアドレス、またはＤＩＳ２０８ａ、２０８ｂ、２０８ｃと通信するのに使用するＷＴＲＵ４１０の新たなＩＰアドレスを含んでもよい。
【００７４】
方法４００は、ＷＴＲＵ−ＩＳ  ＰＡＤの交換４１２を継続してもよい。例えば、ＷＴＲＵ１０２ｄ、１０２ｅ、１０２ｆ、１０２ｇおよびＤＩＳ２０８ａ、２０８ｂ、２０８ｃに特有のプロトコル、セッションが進行し、そこでは、ＰＡＤ情報がＤＩＳ２０８ａ、２０８ｂ、２０８ｃからＷＴＲＵ１０２ｄ、１０２ｅ、１０２ｆ、１０２ｇに送信されてもよい。一部の実施形態では、ネットワーク管理１６７ａ、１６７ｂ、またはＡＰ１７０ａ、１７０ｂは、ＤＩＳ２０８ａ、２０８ｂ、２０８ｃのＩＰアドレスおよびＷＴＲＵ１０２ｄ、１０２ｅ、１０２ｆ、１０２ｇのＩＰアドレスを認識していることに基づいて、このセッションを許可するように構成される。
【００７５】
一部の実施形態では、Ｄ−ＤＮＳがネットワークに対してローカルであるときのケースに対し、ＤＮＳベースアプローチの使用をローカルＩＰと組み合わせることができる。広告されるＤ−ＤＮＳ  ＩＰアドレスはリンクローカルアドレスである。アドレスは、ＰＡＤプロシージャの残りに対する非リンクローカルＩＰに置き換えられる。リンクローカルアドレスの使用は、ＩＰセッションに基づいてウェイクアップすることができるバックグラウンドサービスでの、ＷＴＲＵ１０２ｄ、１０２ｅ、１０２ｆ、１０２ｇ上でのアプリケーションへの影響を最小にする。
【００７６】
一部の実施形態では、Ｄ−ＤＮＳ２１０ａ、２１０ｂ、２１０ｃは、ＤＩＳ２０８ａ、２０８ｂ、２０８ｃについてのエントリを含むように最新である必要がある。一部の実施形態では、図４に示されるＡＰ１７０ａ、１７０ｂは、ＷＴＲＵ１０２ｄ、１０２ｅ、１０２ｆ、１０２ｇに対してピアであってもよい。一部の実施形態では、図４の方法４００はローカルおよびリモートサーバベース検出に使用されてもよい。一部の実施形態では、図４の方法４００は、リモートのピアツーピア検出には使用されなくてもよい。
【００７７】
図５は、一部の開示される実施形態に従って、ＰＡＤ方法の一例を示す。図５では、ＡＰ１７０ａ、１７０ｂが、ＷＴＲＵ１０２ｄ、１０２ｅ、１０２ｆ、１０２ｇからのメッセージを取り込み（capture）、ＰＡＤウェブサーバ５１０に送信する、キャプティブポータル（captive portal）が示さる。
【００７８】
図５に示されるＡＰ１７０ａ、１７０ｂは、ＷＬＡＮ１６０ａ、１６０ｂのネットワーク管理１６７ａ、１６７ｂと、ＡＰ１７０ａ、１７０ｂの送信および受信機能との両方を表してもよい。例えば、ネットワーク管理１６７ａ、１６７ｂは、ＩＰおよびＨＴＴＰなどの上位レイヤパケットを傍受および解釈するように構成されてもよい。ネットワーク管理１６７ａ、１６７ｂ、またはネットワーク管理１６７ａ、１６７ｂの一部は、ＡＰ１７０ａ、１７０ｂに組み込まれ、または、ＡＰ１７０ａ、１７０ｂは、メッセージをＡＰ１７０ａ、１７０ｂに送り返すことができる、ネットワーク管理１６７ａ、１６７ｂにメッセージを転送してもよい。
【００７９】
方法５００は、５０２において、ＷＴＲＵ１０２ｄ、１０２ｅ、１０２ｆ、１０２ｇがＡＰ１７０ａ、１７０ｂにＨＴＴＰ要求を送信することで開始してもよい。ＷＴＲＵ１０２ｄ、１０２ｅ、１０２ｆ、１０２ｇは、ＡＰ１７０ａ、１７０ｂと比較して、事前承認または事前関連付け状態にある。方法５００は、ＨＴＴＰツーＨＴＴＰメッセージのリダイレクト５０４を継続する。ＡＰ１７０ａ、１７０ｂは、ＰＡＤ状態にあるＷＴＲＵ１０２ｄ、１０２ｅ、１０２ｆ、１０２ｇがブラウザメッセージを送信し、ＨＴＴＰを使用してインターネット１１０へのアクセスを試みるまで、アドレスに関係なく、ＷＴＲＵ１０２ｄ、１０２ｅ、１０２ｆ、１０２ｇからのすべてのメッセージを傍受するように構成されてもよい。ＡＰ１７０ａ、１７０ｂは、ＨＴＴＰステータスコード「３０２」を有するすべてのパケットを傍受し、ＰＡＤウェブサーバ５１０のアドレスの情報をパケットに含めるように構成されてもよい。
【００８０】
方法５００は、ＰＡＤウェブサーバに案内されるＨＴＴＰ要求５０６を継続してもよい。ＡＰ１７０ａ、１７０ｂは、ＷＴＲＵ１０２ｄ、１０２ｅ、１０２ｆ、１０２ｇからＨＴＴＰパケットを受信し、そのパケットをＰＡＤウェブサーバ５１０にリダイレクトしてもよい。
【００８１】
方法５００は、ＰＡＤ情報５０８を継続してもよい。ＷＴＲＵ１０２ｄ、１０２ｅ、１０２ｆ、１０２ｇは、ＰＡＤウェブサーバ５１０からＰＡＤ情報を受信してもよい。ＷＴＲＵ１０２ｄ、１０２ｅ、１０２ｆ、１０２ｇとＰＡＤウェブサーバ５１０間の通信は、ステップ５０６および５０８で１回または複数回繰り返して継続してもよい。
【００８２】
一部の実施形態では、初期ＨＴＴＰ要求は、ＡＰ１７０ａ、１７０ｂを認証する前にＷＴＲＵ１０２ｄ、１０２ｅ、１０２ｆ、１０２ｇによって行われてもよく、ＷＴＲＵ１０２ｄ、１０２ｅ、１０２ｆ、１０２ｇのユーザに透過に行われてもよい。一部の実施形態では、専用ドメイン名が使用されてＰＡＤウェブサーバ５１０にアクセスしてもよい。専用のドメイン名は新たなＤＮＳ名であってもよく、これは必ずしも人間が読むことができないが、機械が理解することができる。一部の実施形態では、「．ｐａｄ」などの、ＰＡＤを目的とする新たな特別のドメイン名拡張子がＰＡＤ使用に対して予約されてもよい。
【００８３】
一部の実施形態では、方法５００はローカルおよびリモートピアツーピア検出に使用される。一部の実施形態では、方法５００は、ローカルおよびリモートピアツーサーバ検出に使用される。
【００８４】
図６は、一部の開示される実施形態に従って、ＰＡＤの方法を説明する図である。図６に示されるＡＰ１７０ａ、１７０ｂは、ＷＬＡＮ１６０ａ、１６０ｂのネットワーク管理１６７ａ、１６７ｂと、ＡＰ１７０ａ、１７０ｂの送信および受信機能との両方を表すことができる。例えば、ネットワーク管理１６７ａ、１６７ｂは、ＩＰおよびＨＴＴＰなどの上位レイヤのパケットを傍受および解釈するように構成されてもよい。ネットワーク管理１６７ａ、１６７ｂ、またはネットワーク管理１６７ａ、１６７ｂの一部は、ＡＰ１７０ａ、１７０ｂに組み込まれてもよく、または、ＡＰ１７０ａ、１７０ｂは、メッセージをＡＰ１７０ａ、１７０ｂに送り返すことができる、ネットワーク管理１６７ａ、１６７ｂにメッセージを転送してもよい。
【００８５】
ＷＴＲＵ１０２ｄ、１０２ｅ、１０２ｆ、１０２ｇはメッセージ６０２を送信してもよい。ＡＰ１７０ａ、１７０ｂは、許可されたメッセージ６０４を使用してメッセージ６０２を調査するように構成されてもよい。ＡＰ１７０ａ、１７０ｂは、ＡＰ１７０ａ、１７０ｂを通じて転送させることになる、許可されるメッセージ６０４の基準を満たすメッセージ６０２のみを許可するように構成されてもよい。許可されるメッセージ６０４は、ＤＩＳ２０８ａ、２０８ｂ、２０８ｃのＩＰアドレスのリストを含んでもよい。許可されるメッセージ６０４は、トランスポートプロトコルおよびポートに関する情報、ならびにアプリケーションの署名も含んでもよく、そのためＷＴＲＵ１０２ｄ、１０２ｅ、１０２ｆ、１０２ｇは単に、許可されるメッセージ６０４における情報に従って通信することができる。ＡＰ１７０ａ、１７０ｂは、＜ＩＳ  ＩＰアドレス、アプリケーション署名＞のペアが許可されるメッセージ６０４で許可されない限り、すべてのメッセージ６０２をブロックするように構成されてもよい。一部の実施形態では、メッセージ６０２が許可されるメッセージ６０４に準拠するか否かの判定は、計算的に高価であることがある。一部の実施形態では、ポート番号を調査することによるアプリケーション署名の識別は、ＷＴＲＵ１０２ｄ、１０２ｅ、１０２ｆ、１０２ｇ、およびＤＩＳ２０８ａ、２０８ｂ、２０８ｃが、サービス検出ではない非ＨＴＴＰアプリケーションに対するＴＣＰポート８０を使用することに同意し、ならびに、多くのＰＡＤアプリケーションがＨＴＴＰ上で動作する上位レイヤプロトコルであり、そのためポートベース検査が正当なサービス検出プロトコルの使用と通常のウェブブラウジングとの違いを区別することができないため、信頼できないことがある。加えて、ＤＰＩベースのアプリケーション識別は、時間を要することが多く、その間に一部のトラフィックが通過するのを許可されることがある。このトラフィックは、メッセージ６０２を選別しているＡＰ１７０ａ、１７０ｂを移動する（get around）ショート（short）非ＰＡＤセッションであることがある。一部の実施形態では、方法は、メッセージ６０２が許可されるメッセージ６０４であるか否かを迅速に判定するのに使用される。
【００８６】
図７は、一部の開示される実施形態に従ったＷＴＲＵの図である。一部の実施形態では、リンクローカルＩＰアドレス７０２は、ＷＴＲＵ１０２ｄ、１０２ｅ、１０２ｆ、１０２ｇに使用されてもよい。リンクローカルＩＰアドレス７０２は、同一のＬ２ネットワーク上でのデバイスとの通信には十分である。例えば、ＷＬＡＮ１６０ａ（図２）に対するリンクローカルＩＰアドレスは、ＷＬＡＮ１６０ａにおけるすべてのノードまたはホストをアドレス指定するのに十分である。
【００８７】
方法はリンクローカルＩＰアドレス７０２に使用されてもよい。例えば、ＩＰｖ６メッセージが使用されてもよい。方法は以下のように進行し、それが直接Ｌ２上で行われるので、ＷＴＲＵ１０２ｄ、１０２ｅ、１０２ｆ、１０２ｇとＤＩＳ２０８ａ、２０８ｂ、２０８ｃとの間のすべての通信は直接の通信になる。ＷＴＲＵ１０２ｄ、１０２ｅ、１０２ｆ、１０２ｇは、ＩＰｖ６ルータ要請（solicitation）メッセージＩＣＭＰｖ６  Ｔｙｐｅ１３３を発行することによって、ＰＡＤ情報を要請してもよい。一部の実施形態では、ＰＡＤ広告に対する新たなコードが使用されてもよい。オプションフィールドが、ＷＴＲＵ１０２ｄ、１０２ｅ、１０２ｆ、１０２ｇが検出することを望む具体的なサービスをリスト化するのに使用されてもよい。一部の実施形態では、ＷＴＲＵ１０２ｄ、１０２ｅ、１０２ｆ、１０２ｇ、およびＤＩＳ２０８ａ、２０８ｂ、２０８ｃは、サービスコードに２値の表記を使用することに同意している。一部の実施形態では、ＤＩＳ２０８ａ、２０８ｂ、２０８ｃは、ＩＣＭＰルータ広告（ＲＡ）メッセージ  ＩＣＭＰｖ６  Ｔｙｐｅ１３４を発行する。新たなコードがＰＡＤの広告に使用されてもよい。ＰＡＤ  ＲＡが、スケジュールされた間隔でブロードキャストされ、および／または、特定のＲＳに応答して送信されてもよい。ＷＴＲＵ１０２ｄ、１０２ｅ、１０２ｆ、１０２ｇは、ＤＩＳ２０８ａ、２０８ｂ、２０８ｃによって発行されたＰＡＤ  ＲＡを使用して、上位レイヤＰＡＤプロシージャを進めてもよい。サポートされるサービスについての特定の情報がオプションフィールドで送信される場合は、それは、このステップを進めるか否かを決定するのにＷＴＲＵ１０２ｄ、１０２ｅ、１０２ｆ、１０２ｇによって使用されてもよい。他のＩＣＭＰｖ６メッセージが同様の方法で使用されてもよい。例えば、近隣要請／広告ＩＣＭＰｖ６  Ｔｙｐｅ１３５／１３６が同様の方法で変更されてもよく、または、ＰＡＤ固有のＩＣＭＰメッセージが導入されてもよい。一部の実施形態では、ＩＰｖ４  ＲＳ／ＲＡメッセージが使用されてもよい。
【００８８】
一部の実施形態では、リンクローカルＩＰアドレス７０２を使用は、ＷＴＲＵ１０２ｄ、１０２ｅ、１０２ｆ、１０２ｇがローカルピアおよびサーバと通信することを可能にするが、ＷＴＲＵ１０２ｄ、１０２ｅ、１０２ｆ、１０２ｇがリモートのピアまたはサーバと直接通信することは許可されなくてもよい。一部の実施形態では、ＷＴＲＵ１０２ｄ、１０２ｅ、１０２ｆ、１０２ｇは、アプリケーション７０４をウェイクアップさせないように、リンクローカルＩＰアドレス７０２を使用してＡＰと通信してもよい。一部の実施形態では、ＡＰは、非リンクローカルＩＰアドレスを使用することによって、ＷＴＲＵ１０２ｄ、１０２ｅ、１０２ｆ、１０２ｇとＤＩＳの間で透過的にメッセージを中継して、ＤＩＳと通信し、リンクローカルＩＰアドレスを使用して、ＷＴＲＵ１０２ｄ、１０２ｅ、１０２ｆ、１０２ｇと通信する。一部の実施形態では、ＡＰは、許可されるメッセージ６０４とともに、ＷＴＲＵ１０２ｄ、１０２ｅ、１０２ｆ、１０２ｇによって送信されるメッセージを監視し、許可されるメッセージ６０４ではないメッセージが送信された場合、ＡＰは措置をとってもよい。ＡＰがとることができる措置の一部の例は、ＷＴＲＵ１０２ｄ、１０２ｅ、１０２ｆ、１０２ｇ、セッションＩＤを無効化すること、メッセージを破棄すること、およびＷＴＲＵ１０２ｄ、１０２ｅ、１０２ｆ、１０２ｇに警告を送信することを含む。
【００８９】
図８Ａは、一部の開示される実施形態に従ったＰＡＤの方法を示す。図８に示されるＡＰ１７０ａ、１７０ｂは、ＷＬＡＮ１６０ａ、１６０ｂのネットワーク管理１６７ａ、１６７ｂと、ＡＰ１７０ａ、１７０ｂの送信および受信機能との両方を表すことができる。例えば、ネットワーク管理１６７ａ、１６７ｂは、ＩＰおよびＨＴＴＰなどの上位レイヤのパケットを傍受および解釈するように構成されてもよい。ネットワーク管理１６７ａ、１６７ｂ、またはネットワーク管理１６７ａ、１６７ｂの一部は、ＡＰ１７０ａ、１７０ｂに組み込まれ、または、ＡＰ１７０ａ、１７０ｂは、メッセージをＡＰ１７０ａ、１７０ｂに送り返すことができる、ネットワーク管理１６７ａ、１６７ｂにメッセージを転送してもよい。
【００９０】
方法８００は、オプションで、ＡＰ１７０ａ、１７０ｂが、ＷＴＲＵ１０２ｄ、１０２ｅ、１０２ｆ、１０２ｇにサービスダイジェスト８０２を送信することで開始してもよい。サービスダイジェスト８０２は、ＡＰ１７０ａ、１７０ｂから送信されるブロードキャストメッセージであってもよい。サービスダイジェスト８０２は、利用可能なサービス２０６ａ、２０６ｂ、２０６ｃの要約を含んでもよい。ＷＴＲＵ１０２ｄ、１０２ｅ、１０２ｆ、１０２ｇは、サービスダイジェスト８０２を調査し、ＷＴＲＵ１０２ｄ、１０２ｅ、１０２ｆ、１０２ｇが求めているサービス２０６ａ、２０６ｂ、２０６ｃがＡＰ１７０ａ、１７０ｂを通じて存在しているか否かを判定するように構成されてもよい。ＡＰ１７０ａ、１７０ｂ、およびＷＴＲＵ１０２ｄ、１０２ｅ、１０２ｆ、１０２ｇは、Ｌ２ブロードキャストベースサービス検出を使用してサービスダイジェスト８１６を送信および受信するように構成されてもよい。サービスダイジェスト８１６は、ＡＰ１７０ａ、１７０ｂによって利用可能なすべてのサービス２０６ａ、２０６ｂ、２０６ｃを含まなくてもよい。
【００９１】
方法８００は、ＷＴＲＵ１０２ｄ、１０２ｅ、１０２ｆ、１０２ｇがＰＡＤセッション要求８０４を開始することを継続してもよい。図８Ｂに示すＰＡＤセッション要求８０４は、ＷＴＲＵ識別子８１８、セッション識別子（ＩＤ）８２０、およびサービス識別子８２２を含んでもよい。ＷＴＲＵ識別子８１８の例は、ＭＡＣ  ＩＤおよびランダムに生成された値を含む。
【００９２】
ＷＴＲＵ識別子８１８はまた、ＤＩＳ２０８ａ、２０８ｂ、２０８ｃに対する認証を開始するために必要なパブリック識別情報も含んでもよい。セッション識別子８２０は単に、ランダムに生成された値であってもよい。サービス識別子８２２は、ＷＴＲＵ１０２ｄ、１０２ｅ、１０２ｆ、１０２ｇがそれに関する情報を検出または受信することに関心があるサービス２０６ａ、２０６ｂ、２０６ｃを示す値または名前であってもよい。ＷＴＲＵ１０２ｄ、１０２ｅ、１０２ｆ、１０２ｇは、サービスダイジェスト８１６から導出される情報を使用して、サービス識別子８２２の値を判定してもよい。
【００９３】
方法８００は、ＡＰ１７０ａ、１７０ｂがＰＡＤセッション要求８０６にサービスするか否かを判定してもよい。一部の実施形態では、ＡＰ１７０ａ、１７０ｂは、ＡＰ１７０ａ、１７０ｂの負荷と、ＡＰ１７０ａ、１７０ｂがＰＡＤセッション要求８０４にサービスすることができると判定するか否かに基づいて、ＰＡＤセッション要求８０４にサービスするか否かを判定するように構成されてもよい。一部の実施形態では、ＡＰ１７０ａ、１７０ｂは、ＷＴＲＵ識別子８１８またはセッション識別子８２０に基づいて、ＰＡＤセッション要求８０４にサービスするか否かを判定してもよい。
【００９４】
ＡＰ１７０ａ、１７０ｂがＰＡＤセッション要求８０４にサービスすると判定した場合、方法８００は、ＡＰ１７０ａ、１７０ｂがＤＩＳ２０８ａ、２０８ｂ、２０８ｃにセッション開始８０８を送信することを継続してもよい。ＰＡＤセッション開始８０８は、ＡＰ１７０ａ、１７０ｂの識別情報を含んでもよい。識別情報は、ＷＴＲＵ１０２ｄ、１０２ｅ、１０２ｆ、１０２ｇによって使用されるセッション識別子８２０とは異なってもよい、ＡＰ１７０ａ、１７０ｂに対するセッションＩＤであってもよい。ＡＰ１７０ａ、１７０ｂは、ＷＴＲＵ１０２ｄ、１０２ｅ、１０２ｆ、１０２ｇのセッションの識別８２０とＡＰ１７０ａ、１７０ｂのセッション識別子との一意の対応関係を、ＤＩＳ２０８ａ、２０８ｂ、２０８ｃと共に保持するように構成されてもよい。
【００９５】
一部の実施形態では、ＷＴＲＵ識別子８１８は、ＰＡＤセッション開始メッセージ８０８に含まれてもよい。一部の実施形態では、ＷＴＲＵ識別子８１８は全く必要でなくてもよい。一部の実施形態では、ＷＴＲＵ識別子８１８は、後続の交換の一部として、ＤＩＳ２０８ａ、２０８ｂ、２０８ｃによって要求されてもよい。
【００９６】
方法８００は、ＷＴＲＵ１０２ｄ、１０２ｅ、１０２ｆ、１０２ｇとＤＩＳ２０８ａ、２０８ｂ、２０８ｃとの間でのＷＴＲＵ−ＤＩＳ  ＰＡＤ交換８１０を継続してもよい。ＡＰ１７０ａ、１７０ｂは透過的な中継器の役割を果たしてもよい。一部の実施形態では、ＡＰ１７０ａ、１７０ｂは、ＤＩＳ２０８ａ、２０８ｂ、２０８ｃからＡＰ１７０ａ、１７０ｂへのメッセージに対して１つのプロトコルを使用し、ＡＰ１７０ａ、１７０ｂからＷＴＲＵ１０２ｄ、１０２ｅ、１０２ｆ、１０２ｇに対して別のプロトコルを使用するように構成されてもよい。
【００９７】
一部の実施形態では、ＷＴＲＵ１０２ｄ、１０２ｅ、１０２ｆ、１０２ｇ、およびＡＰ１７０ａ、１７０ｂのカプセル化は、ＡＮＱＰを含んでもよい。一部の実施形態では、ＷＴＲＵ１０２ｄ、１０２ｅ、１０２ｆ、１０２ｇ、およびＡＰ１７０ａ、１７０ｂのカプセル化は、ＧＡＳのトップにおいて定義されたプロトコルであってもよい。一部の実施形態では、ＡＰ１７０ａ、１７０ｂ、およびＤＩＳ２０８ａ、２０８ｂ、２０８ｃのカプセル化は、ＲＡＤＩＵＳ、ＤＩＡＭＥＴＥＲ、または８０２．２１プロトコルの１または複数を含んでもよい。
【００９８】
方法８００は、ＰＡＤセッション完了８１２を継続してもよい。一部の実施形態では、ＷＴＲＵ−ＤＩＳ  ＰＡＤの交換８１０は、ＡＰ１７０ａ、１７０ｂに対して透過である。一部の実施形態では、ＤＩＳ２０８ａ、２０８ｂ、２０８ｃは、ＡＰ１７０ａ、１７０ｂとのセッションを終了する。
【００９９】
方法８００は、ＡＰ１７０ａ、１７０ｂがＷＴＲＵ１０２ｄ、１０２ｅ、１０２ｆ、１０２ｇにＰＡＤセッション終了８１４を送信することを継続してもよい。一部の実施形態では、方法８００は、ＷＴＲＵ１０２ｄ、１０２ｅ、１０２ｆ、１２０ｇとＤＩＳ２０８ａ、２０８ｂ、２０８ｃとの間の通信をＡＰ１７０ａ、１７０ｂに対して透過的に容易にすることができる、定義されたＥｔｈｅｒＴｙｐｅを有するプロトコルを使用する。一部の実施形態では、ＥｔｈｅｒＴｙｐｅに対する新たなタイプが方法８００で使用されるプロトコルに定義される。一部の実施形態では、新たなＥｔｈｅｒＴｙｐｅプロトコルを定義するのではなく、既存のＥｔｈｅｒＴｙｐｅプロトコル、例えばＥＡＰまたは８０２．２１がＰＡＤ検出に対して変更され、変更されたＥｔｈｅｒＴｙｐｅプロトコルが使用される。
【０１００】
一部の実施形態では、サービスダイジェスト８１６は、ＡＰ１７０ａ、１７０ｂがサポートするＰＡＤセッションの数を制御し、したがってＰＡＤサービス検出によって生じるトラフィックのオーバーヘッドを制御するように使用されてもよい。一部の実施形態では、ＡＰ１７０ａ、１７０ｂが有効なＰＡＤセッション要求８０４の数を制御するように構成されているときに、ＰＡＤセッション要求８０４を使用することに基づいているサービス妨害（ＤｏＳ）攻撃は、ＤｏＳが、ＰＡＤセッションを開始するための有効なＰＡＤセッション要求８０４の数に制限されるため、失敗することがある。
【０１０１】
一部の実施形態では、Ｐ１７０ａ、１７０ｂは、１つまたは数個の要求識別子をサービスダイジェスト８１６の一部としてブロードキャストする。一部の実施形態では、ＰＡＤサービス検出セッションを開始することを望むＷＴＲＵ１０２ｄ、１０２ｅ、１０２ｆ、１０２ｇは、そのブロードキャストされた識別子の１つを、ＰＡＤサービス検出セッションの継続時間に固定することができるセッションＩＤ８２０として使用しなければならない。一部の実施形態では、２つ以上のＷＴＲＵ１０２ｄ、１０２ｅ、１０２ｆ、１０２ｇが同時に同一のセッションＩＤ８２０を使用して、ＰＡＤセッション要求８０４を行う場合、ＡＰ１７０ａ、１７０ｂは、それらのＰＡＤセッション要求８０４のうち１つ以外は拒否する。ＡＰ１７０ａ、１７０ｂは、セッションＩＤ８２０が使用されると、セッションＩＤ８２０のブロードキャストを中断するように構成されてもよい。ＰＡＤセッション要求８０４が拒否された１または複数のＷＴＲＵ１０２ｄ、１０２ｅ、１０２ｆ、１０２ｇは、新たなサービスダイジェスト８１６をリスン（listen）し、ＰＡＤセッション要求８０４を開始する前に、新たなセッションＩＤ８２０を選択する。一部の実施形態では、ＷＴＲＵ１０２ｄ、１０２ｅ、１０２ｆ、１０２ｇは、バックオフプロシージャを使用して、ＰＡＤセッション要求８０４を送信する前に、どの程度待機するかを判定してもよい。
【０１０２】
一部の実施形態では、ＡＰ１７０ａ、１７０ｂは、サービスダイジェスト８１６でブロードキャストされるセッションＩＤ８２０の数を制御することによって、ＰＡＤサービス検出トラフィックの量を制御してもよい。一部の実施形態では、ＡＰ１７０ａ、１７０ｂは、セッションＩＤ８２０のブロードキャストを中断することによって、すべてのＰＡＤサービス検出トラフィックを中断してもよい。
【０１０３】
一部の実施形態では、ＥＡＰＯＬがＥＡＰトランスポートに使用され、ＰＡＤセッション要求８０４を、新たなＴＬＶタイプがサービス検出要求に対して定義される、ＥＡＰＯＬ−Ｓｔａｒｔを使用して搬送することができる。そして、直接ＷＴＲＵ１０２ｄ、１０２ｅ、１０２ｆ、１０２ｇに送信されるＥＡＰ−要求／識別でのＥＡＰ交換が、ＰＡＤ検出に使用されてもよい。
【０１０４】
図９は一部の開示される実施形態に従った、セッションダイジェストを使用してＰＡＤセッションＩＤがブロードキャストされる、ＰＡＤ検出の方法を示す。図９および図１０に示すＡＰ１７０ａ、１７０ｂは、ＷＬＡＮ１６０ａ、１６０ｂのネットワーク管理１６７ａ、１６７ｂと、ＡＰ１７０ａ、１７０ｂの送信および受信機能との両方を表すことができる。例えば、ネットワーク管理１６７ａ、１６７ｂは、ＩＰおよびＨＴＴＰなどの上位レイヤのパケットを傍受および解釈するように構成されてもよい。ネットワーク管理１６７ａ、１６７ｂ、またはネットワーク管理１６７ａ、１６７ｂの一部は、ＡＰ１７０ａ、１７０ｂに組み込まれ、または、ＡＰ１７０ａ、１７０ｂは、メッセージをＡＰ１７０ａ、１７０ｂに送り返すことができる、ネットワーク管理１６７ａ、１６７ｂにメッセージを転送してもよい。
【０１０５】
ＡＰ１７０ａ、１７０ｂは、ＷＴＲＵ１０２ｄ、１０２ｅ、１０２ｆ、１０２ｇがコンタクトを試みているＤＩＳ２０８ａ、２０８ｂ、２０８ｃを確立する必要があることがある。一部の実施形態では、存在し得るＤＩＳ２０８ａ、２０８ｂ、２０８ｃの数と、ＥＡＰに対して可能なメソッドの定義の数に起因して、ＥＡＰに対する各ＰＡＤ検出要求に対して、方法を定義することはできない。
【０１０６】
ＰＡＤセッションを開始するための２つの代替が開示され、１つが図９に示され、もう１つが図１０に示される。
【０１０７】
１つの代替は、セッションダイジェスト８１６からのセッションＩＤ８２０を使用する。方法９００は、ＥＡＰ−要求／識別９０２を開始してもよい。方法９００は、ＥＡＰ−応答／識別９０４を継続してもよい。ＥＡＰ−応答／識別９０４は、ＩＥＥＥ８０２ベースのシステムでは、ＥＡＰＯＬ−ＥＡＰ  ＰＤＵでトランスポートされてもよい。ＡＰ１７０ａ、１７０ｂは、ＥＡＰ−応答／識別９０４におけるＥＡＰセッション識別子を調査することによって、ＥＡＰ−応答／識別９０４をＰＡＤセッション要求として識別するように構成されてもよい。ＥＡＰトランスポートにＥＡＰＯＬが使用される場合は、ＥＡＰ−応答／識別９０４は、ＡＰ１７０ａ、１７０ｂに送信される前に、ＥＡＰＯＬ−ｓｔａｒｔがＷＴＲＵ１０２ｄ、１０２ｅ、１０２ｆ、１０２ｇによって送信されなくてもよい。ＡＰ１７０ａ、１７０ｂは、ＰＡＤセッションに関連付けられた識別子に対するＥＡＰＯＬ−Ｓｔａｒｔを生成するように構成されてもよい。ＷＴＲＵ１０２ｄ、１０２ｅ、１０２ｆ、１０２ｇは、ＥＡＰＯＬ−ｓｔａｒｔを発行せずに、サービスダイジェスト８１６からのＥＡＰＯＬ−ＥＡＰメッセージを処理するように構成されてもよい。方法９００の残りは、ＰＡＤセッションを開始するための第２の代替が図１０との関連で開示された後に開示される。
【０１０８】
図１０は、一部の開示される実施形態に従った、ここではＥＡＰＯＬ  ｓｔａｒｔが使用されるＰＡＤ検出の方法を示す。図１０に示すのは、ＷＴＲＵ１０２ｄ、１０２ｅ、１０２ｆ、１０２ｇが、セッションダイジェスト８１６からのセッションＩＤ８２０を使用しなくてもよい、ＰＡＤセッションを開始するための第２の代替である。ＥＡＰＯＬがＥＡＰトランスポートに使用される場合、セッション要求を、新たなＴＬＶタイプがサービス検出要求に対して定義されてもよい、ＥＡＰＯＬ−Ｓｔａｒｔ１００２を使用して搬送することができる。ＷＴＲＵ１０２ｄ、１０２ｅ、１０２ｆ、１０２ｇに直接送信されるＥＡＰ−要求／識別１００４での典型的なＥＡＰ交換は、新たなＴＬＶタイプで使用されてもよい。ＷＴＲＵ１０２ｄ、１０２ｅ、１０２ｆ、１０２ｇは、ＥＡＰ−応答／識別１００５で応答する。
【０１０９】
上記開示した図９および図１０における２つの代替の１つを使用してＰＡＤセッションが開始すると、方法９００および１０００は次いでメソッド［ＰＡＤ−ｐｕｂｌｉｃ］９０６、１００６でＥＡＰ−要求を継続する。一部の実施形態では、単一のＥＡＰメソッドが、９０６、１００６のようにＰＡＤプロシージャが現在使用されていることを示すように使用される。ＥＡＰメソッドは、図９および図１０に示すタイプＰＡＤ−ｐｕｂｌｉｃであってもよい。
【０１１０】
方法９００および１０００は、メソッド［ＰＡＤ−ｐｕｂｌｉｃ、ＤＩＳ情報］９０８、１００８でのＥＡＰ−応答を継続する。ＷＴＲＵ１０２ｄ、１０２ｅ、１０２ｆ、１０２ｇは、メソッドとともに、Ｔｙｐｅ−ＤａｔａフィールドであるＤＩＳ情報におけるＤＩＳ２０８の名前を示すＥＡＰ−応答で、メッセージ９０６、１００６に応答する。
【０１１１】
一部の実施形態では、Ｔｙｐｅ−Ｄａｔａフィールドは、ＥＡＰの実装に対して約１０２０オクテットに制限される。ＤＩＳ情報は、ベンダ固有のＤＩＳ識別子を含んでもよく、汎用記述言語、例えばＸＭＬがサポートされる必要があることがある。ＤＩＳ情報は、１０２０オクテットよりも大きいことがあり、単一のＴｙｐｅ−Ｄａｔａフィールドに収まらないことがある。一部の実施形態では、Ｔｙｐｅ−Ｄａｔａフィールドは、ＷＴＲＵ１０２ｄ、１０２ｅ、１０２ｆ、１０２ｇがより多くのデータを有すること、または、ＷＴＲＵ１０２ｄ、１０２ｅ、１０２ｆ、１０２ｇの応答が完了したことを、ＡＰ１７０ａ、１７０ｂに示すフラグを含み、それによりＡＰ１７０ａ、１７０ｂは、さらなるＤＩＳ情報を送信するためにＷＴＲＵ１０２ｄ、１０２ｅ、１０２ｆ、１０２ｇに対してメソッドとともに別のＥＡＰ−要求９１０、１０１０を生成する。ＷＴＲＵ１０２ｄ、１０２ｅ、１０２ｆ、１０２ｇの応答９１２、１０１２は、さらに多くのＤＩＳ情報を送信する必要があることをフラグで示してもよく、その場合、ＡＰ１７０ａ、１７０ｂは上記プロセスを繰り返し、メソッド［ＰＡＤ−ｐｕｂｌｉｃ］９１０、１０１０でＥＡＰ−要求を送信する。方法９００および１０００は、ＣＬ−ＤＩＳ  ＰＡＤ  ＥＸＣＨＡＮＧＥ９１４、１０１４を継続してもよい。ＡＰ１７０ａ、１７０ｂは、ＥＡＰメッセージをルーティングするために、宛先ＤＩＳにセッションＩＤを関連付けるように構成されてもよい。ＣＬ−ＤＩＳＰＡＤ  ＥＸＣＨＡＮＧＥ９１４、１０１４は、方法８００と同様に終了されてもよい。一部の実施形態では、方法９００および１０００は、方法８００と比較して、少なくとも２つの追加的ステップを有する。
【０１１２】
一部の実施形態では、汎用広告プロトコル（ＧＡＳ）が使用される。一部の実施形態では、新たなＧＡＳプロトコル値を予約することによって、新たなＧＡＳベースプロトコルが使用される。一部の実施形態では、ＧＡＳプロトコル値およびＥｔｈｅｒＴｙｐｅの両方を有するという利点を有する、８０２．２１媒体非依存ハンドオフ（ＭＩＨ：media independent handoff）情報サービスであるサービス２０６ａ、２０６ｂ、２０６ｃが定義される。
【０１１３】
一部の実施形態では、第２のＰＡＤ関連ＥＡＰメソッド、ＥＡＰ−Ｐｒｉｖａｔｅが定義される。ＡＰ１７０ａ、１７０ｂは、ＥＡＰ−Ｐｒｉｖａｔｅメソッドが示されるときに、パケットを調査することなく、ＥＡＰパケットをＤＩＳ２０８ａ、２０８ｂ、２０８ｃに転送するように構成されてもよい。ＡＰ１７０ａ、１７０ｂは、ＥＡＰ−Ｐｒｉｖａｔｅメソッドが示されるときに、パケットを調査することなく、ＷＴＲＵ１０２ｄ、１０２ｅ、１０２ｆ、１０２ｇからのＥＡＰパケットをカプセル化するように構成されてもよい。ＡＰ１７０ａ、１７０ｂは、ＲＡＤＩＵＳ、ＤＩＡＭＥＴＥＲなどの別のプロトコルを使用して、ＤＩＳ２０８ａ、２０８ｂ、２０８ｃへのパケットをカプセル化してもよく、ＥＡＰＯＬを使用して、ＤＩＳ２０８ａ、２０８ｂ、２０８ｃからＷＴＲＵ１０２ｄ、１０２ｅ、１０２ｆ、１０２ｇへのパケットをカプセル化してもよい。方法９００および１０００は、リモートであるＤＩＳ２０８ａ、２０８ｂ、２０８ｃにアクセスするのに使用されてもよい。
【０１１４】
一部の実施形態では、ＡＰ１７０ａ、１７０ｂは、ＷＴＲＵ１０２ｄ、１０２ｅ、１０２ｆ、１０２ｇからＡＰ１７０ａ、１７０ｂへのオープンアクセスを提供し、それによって、ＡＰ１７０ａ、１７０ｂと通信することが可能なＷＴＲＵ１０２ｄ、１０２ｅ、１０２ｆ、１０２ｇは、認証とともにＡＰ１７０ａ、１７０ｂとのＰＡＤ方法を開始することができる。一部の実施形態では、ＷＴＲＵ１０２ｄ、１０２ｅ、１０２ｆ、１０２ｇは、ＡＰ１７０ａ、１７０ｂに対して自身を識別してもよいが、その識別は認証されないことがある。ＷＴＲＵ１０２ｄ、１０２ｅ、１０２ｆ、１０２ｇの識別は、ＭＡＣ  ＩＤまたは任意に生成された使い捨ての値を含んでもよい。一部の実施形態では、ＷＴＲＵ１０２ｄ、１０２ｅ、１０２ｆ、１０２ｇとＡＰ１７０ａ、１７０ｂ間のＰＡＤ検出通信は、セキュアとされない。一部の実施形態では、リンクセキュリティおよびデバイスセキュリティに対する公知の技術が、ＷＴＲＵ１０２ｄ、１０２ｅ、１０２ｆ、１０２ｇ、およびＡＰ１７０ａ、１７０ｂによって利用されてもよい。ＰＡＤ検出の例は、ＷＴＲＵ１０２ｄ、１０２ｅ、１０２ｆ、１０２ｇがサービス名などのパブリックに知られている値を要求することである。
【０１１５】
一部の実施形態では、ＤＩＳ２０８ａ、２０８ｂ、２０８ｃと、ＡＰ１７０ａ、１７０ｂと、ＷＴＲＵ１０２ｄ、１０２ｅ、１０２ｆ、１０２ｇとの間で、認証されたセキュリティが要求されてもよい。例えば、ＤＩＳ２０８ａ、２０８ｂ、２０８ｃがＷＴＲＵ１０２ｄ、１０２ｅ、１０２ｆ、１０２ｇに、所与のＡＰ１７０ａ、１７０ｂに対するサービス固有のアクセス認証情報を提供するときである。
【０１１６】
一部の実施形態では、同一のセッションに関連付けられたすべてのパケットが、同一の端末、例えばＷＴＲＵ１０２ｄ、１０２ｅ、１０２ｆ、１０２ｇ、またはＤＩＳ２０８ａ、２０８ｂ、２０８ｃから発信されているという保証を要求する形態のセキュリティが使用される。一部の実施形態では、ＡＰ１７０ａ、１７０ｂは、ＷＴＲＵ１０２ｄ、１０２ｅ、１０２ｆ、１０２ｇと、ＤＩＳ２０８ａ、２０８ｂ、２０８ｃとの通信に対して透過である。一部の実施形態では、ＷＴＲＵ１０２ｄ、１０２ｅ、１０２ｆ、１０２ｇがＡＰ１７０ａ、１７０ｂを使用してＰＡＤを行えるように、ＡＰ１７０ａ、１７０ｂは単に、以下の情報、すなわち、大まかな意味でのＷＴＲＵ１０２ｄ、１０２ｅ、１０２ｆ、１０２ｇの識別、大まかな意味でのＤＩＳ２０８ａ、２０８ｂ、２０８ｃの識別、および検出セッション情報を要求する。一部の実施形態では、以下の検出セッションコマンドの組が、開始、終了、要求、および応答に使用されてもよい。
【０１１７】
一部の実施形態では、汎用サービス識別が提供される。例えば、ＷＴＲＵ１０２ｄ、１０２ｅ、１０２ｆ、１０２ｇは、ＷＴＲＵ１０２ｄ、１０２ｅ、１０２ｆ、１０２ｇとＤＩＳ２０８ａ、２０８ｂ、２０８ｃとが事前に同意した汎用名を使用して、ＤＩＳ２０８ａ、２０８ｂ、２０８ｃを識別することができる。ＡＰ１７０ａ、１７０ｂが汎用名を認識している場合は、その汎用名のみに基づいて、ＤＩＳ２０８ａ、２０８ｂ、２０８ｃとの通信の手段を判定することができる。そうでない場合、一部の実施形態では、ＡＰ１７０ａ、１７０ｂは、ＷＴＲＵ１０２ｄ、１０２ｅ、１０２ｆ、１０２ｇへの適切なエラーメッセージで検出セッションを終了する。
【０１１８】
一部の実施形態では、間接的検出に使用されるプロトコルは、８０２  ＭＡＣおよび３ＧＰＰの集合である少なくとも主要なＬ２技術によって上位レイヤプロトコルとして識別可能である。一部の実施形態では、サポートされる３ＧＰＰプロトコルまたは標準の変更が間接的検出に使用される。
【０１１９】
一部の実施形態では、適切なＷＴＲＵ−ＤＩＳセキュリティが使用される場合は、ＡＰ１７０ａ、１７０ｂによるマンインザミドル（man-in-the-middle）攻撃が、ＷＴＲＵ−ＤＩＳセキュリティによって防御可能である。
【０１２０】
一部の実施形態では、国際的に標準化されたサービス命名規則は使用されない。一部の実施形態では、国際的に標準化されたサービス名のセットが使用される。例えば、サービス名ルックアップサービス、サービス名に対するＤＮＳが使用されてもよい。一部の実施形態では、サービスプロバイダは、自身のサービス名をＡＰ１７０ａ、１７０ｂにロードする。ロードされた名前は、その後サービスプロバイダに対してプライベートになり、国際的に取り決められた規則に従う必要はない。
【０１２１】
図１１は、一部の開示される実施形態に従った方法を示す。図１１に示されるＡＰ１７０ａ、１７０ｂは、ＷＬＡＮ１６０ａ、１６０ｂのネットワーク管理１６７ａ、１６７ｂと、ＡＰ１７０ａ、１７０ｂの送信および受信機能との両方を表すことができる。例えば、ネットワーク管理１６７ａ、１６７ｂは、ＩＰおよびＨＴＴＰなどの上位レイヤのパケットを傍受および解釈するように構成されてもよい。ネットワーク管理１６７ａ、１６７ｂ、またはネットワーク管理１６７ａ、１６７ｂの一部は、ＡＰ１７０ａ、１７０ｂに組み込まれ、または、ＡＰ１７０ａ、１７０ｂは、メッセージをＡＰ１７０ａ、１７０ｂに送り返すことができる、ネットワーク管理１６７ａ、１６７ｂにメッセージを転送してもよい。
【０１２２】
方法１１００は、ＷＴＲＵ１０２ｄ、１０２ｅ、１０２ｆ、１０２ｇがメッセージを送信するＡＰ１７０ａ、１７０ｂを選択することで開始してもよい。一部の実施形態では、ＷＴＲＵ１０２ｄ、１０２ｅ、１０２ｆ、１０２ｇは、ＷＴＲＵ１０２ｄ、１０２ｅ、１０２ｆ、１０２ｇがポリシを取得することができるＡＮＤＳＦサーバ１１０２とのＥＡＰベース交換を可能にする、ＡＰ１７０ａ、１７０ｂを選択する。ＷＴＲＵ１０２ｄ、１０２ｅ、１０２ｆ、１０２ｇが加入しているモバイルオペレータは、所与のＷＴＲＵ１０２ｄ、１０２ｅ、１０２ｆ、１０２ｇにサービスすることができる１または複数のＡＮＤＳＦサーバ１１０２を維持してもよい。新たなＥＡＰメソッドは、ＡＮＤＳＦサーバ１１０２からプロビジョニングされたＭＯを取得するＷＴＲＵ１０２ｄ、１０２ｅ、１０２ｆ、１０２ｇに対するＥＡＰ−ＡＮＤＳＦに定義されてもよい。
【０１２３】
一部の実施形態では、ＡＰ１７０ａ、１７０ｂは、ＡＮＤＳＦサーバ１１０２の利用可能性を、ビーコンフレーム上で広告してもよい。一部の実施形態では、ＷＴＲＵ１０２ｄ、１０２ｅ、１０２ｆ、１０２ｇおよびＡＰ１７０ａ、１７０ｂは、ＡＮＱＰに従ってパケットを交換して、ＡＰ１７０ａ、１７０ｂが、ＷＴＲＵ１０２ｄ、１０２ｅ、１０２ｆ、１０２ｇがクエリしようとするモバイルオペレータのＡＮＤＳＦサーバ１１０２へのアクセスを提供するか否かを判定してもよい。一部の実施形態では、ＡＮＤＳＦサーバ１１０２は、ＡＮＤＳＦサーバ１１０２の名前に対する適切な標準で定義される名前で識別される。一部の実施形態では、ＷＴＲＵ１０２ｄ、１０２ｅ、１０２ｆ、１０２ｇはＡＮＱＰを使用して、ＡＰ１７０ａ、１７０ｂが、ＥＡＰ−ＡＮＤＳＦ、ならびに、ＡＰ１７０ａ、１７０ｂがアクセスを許可するＡＮＤＳＦサーバ１１０２のリストをサポートするか、または、ＡＰ１７０ａ、１７０ｂが、ＷＴＲＵ１０２ｄ、１０２ｅ、１０２ｆ、１０２ｇがアクセスしようとするＡＮＤＳＦサーバ１１０２へのアクセスを許可するかどうか、を検出してもよい。
【０１２４】
方法１１００は、ＥＡＰ−ＡＮＤＳＦ交換１１０６を継続してもよい。ＷＴＲＵ１０２ｄ、１０２ｅ、１０２ｆ、１０２ｇは、ＡＰ１７０ａ、１７０ｂとのＥＡＰベース交換を開始してもよいが、これは図には示さない。ＷＴＲＵ１０２ｄ、１０２ｅ、１０２ｆ、１０２ｇはメッセージを送信して、ＥＡＰ−ＡＮＤＳＦ交換１１０６を開始してもよい。一部の実施形態では、ＷＴＲＵ１０２ｄ、１０２ｅ、１０２ｆ、１０２ｇは、ＡＰ１７０ａ、１７０ｂを認証するが、ＡＰ１７０ａ、１７０ｂとの関連付けはせず、または、ＡＰ１７０ａ、１７０ｂからＩＰアドレスを取得することもしない。一部の実施形態では、ＥＡＰ  ｏｖｅｒ  ＬＡＮ  Ｅｔｈｅｒｔｙｐｅが使用される。一部の実施形態では、検出プロトコルをトランスポートするために新たなＥｔｈｅｒｔｙｐｅが定義される。
【０１２５】
一部の実施形態では、ＷＴＲＵ１０２ｄ、１０２ｅ、１０２ｆ、１０２ｇは、ＡＰ１７０ａ、１７０ｂへの関連付けを行わない。一部の実施形態では、ＧＡＳプロトコルは、ＥＡＰ要求／応答メッセージを搬送するように変更される。一部の実施形態では、ＥＡＰ応答は、ＷＴＲＵ１０２ｄ、１０２ｅ、１０２ｆ、１０２ｇからのＧＡＳクエリメッセージにマッピングされ、ＥＡＰ要求は、ＧＡＳ広告応答にマッピングされる。一部の実施形態では、ＧＡＳプロトコルは、ＡＮＤＳＦ管理オブジェクト（ＭＯ）の検出に対応するように異なって変更される。
【０１２６】
一部の実施形態では、ＧＡＳプロトコルは宛先としての広告サーバとの通信に設計されているので、ＥＡＰ−ＡＮＤＳＦメソッドは、ＡＰ１７０ａ、１７０ｂ、または別のエンティティにおいてＥＡＰ−ＡＮＤＳＦピアレベル通信の終了を可能にしてもよい。一部の実施形態では、ＥＡＰ−ＡＮＤＳＦ１１０６は、ＡＰ１７０ａ、１７０ｂ、またはネットワークの別のエンティティで終了してもよい。この場合、ＡＰ１７０ａ、１７０ｂ、またはネットワークの別のエンティティのいずれかは、ＡＮＤＳＦサーバ１１０２との通信を引き継いでもよい。例えば、図１１に示すように、ＡＰ１７０ａ、１７０ｂは、メッセージＥＡＰ−ＡＮＤＳＦ１１０８をＡＮＤＳＦサーバ１１０２に送信する。１１０６および１１０８の両方は、複数の通信を含んでもよい。一部の実施形態では、他のネットワークエンティティは、ＡＰ１７０ａ、１７０ｂのローカルエリアネットワークに関連付けられたＡＮＤＳＦプロキシサーバ（図示せず）であってもよい。
【０１２７】
一部の実施形態では、ＧＡＳプロトコルは、直接ＡＮＤＳＦサーバ１１０２で終了し、そのためＡＮＤＳＦサーバ１１０２がＧＡＳに対する広告サーバとして機能してもよい。したがって、ＥＡＰ−ＡＮＤＳＦ１１０６はＡＰ１７０ａ、１７０ｂを通り、ＡＮＤＳＦサーバ１１０２で終了する。
【０１２８】
方法は、ＡＮＤＳＦ  ＭＯの交換１１１０を継続する。ＭＯは、プロビジョニングされ、ＷＴＲＵ１０２ｄ、１０２ｅ、１０２ｆ、１０２ｇに送信されてもよい。ＭＯは、完全なＭＯの簡潔（abbreviated）バージョンであってもよい。一部の実施形態では、ＡＰ１７０ａ、１７０ｂ、または別のネットワークエンティティがＡＮＤＳＦ  ＭＯ１１１０を受信し、それをＷＴＲＵ１０２ｄ、１０２ｅ、１０２ｆ、１０２ｇに送信してもよい。
【０１２９】
方法は、１１１２で継続してもよい。ＷＴＲＵ１０２ｄ、１０２ｅ、１０２ｆ、１０２ｇは、プロビジョニングされたＭＯに基づいて、ＡＰ１７０ａ、１７０ｂに関連付けられたＷＬＡＮ１６０ａ、１６０ｂの認証を進めるか否か、および一部の実施形態では関連付けを進めるか否か、または、別のＷＬＡＮ１６０ａ、１６０ｂを選択およびアクセスするか否かを判定してもよい。
【０１３０】
一部の実施形態では、ＥＡＰ−ＡＮＤＳＦがＥＡＰメソッドとして定義され、プロプライエタリまたはインターネット割当て番号機関（ＩＡＮＡ）に登録されたＥＡＰメソッド番号を有する。ＥＡＰ−ＡＮＤＳＦプロトコルまたはメソッドは、一部の実施形態では、ＥＡＰ要求／応答の交換が使用されて、ＡＮＤＳＦに対するセキュリティプロトコルとして許可されたものとして識別される進化型パケットコアに対する３ＧＰＰセキュリティプロトコルで記述されるセキュリティプロトコルに対するプロトコルメッセージを搬送する。ＥＡＰが複数回の要求／応答を可能にするため、完全なプロトコル、例えばｈｔｔｐｓ、またはオープンモバイルアライアンス（ＯＭＡ）デバイス管理（ＤＭ）ブートストラップが実装されてもよい。
【０１３１】
ＡＮＤＳＦサーバとの間のセキュリティ確立が成功して完了すると、ＡＮＤＳＦサーバは、ＥＡＰ成功メッセージの代わりに、ＥＡＰ要求メッセージを使用して成功を示してもよい。ＷＴＲＵ１０２ｄ、１０２ｅ、１０２ｆ、１０２ｇは、ＥＡＰ応答メッセージを使用して、適切なＭＯを要求してもよい。ＡＮＤＳＦサーバは、ＥＡＰ要求メッセージを使用してＭＯを提供してもよい。ＥＡＰは各要求に対して応答を必要とするため、ＵＥはそのような各要求への応答を生成してもよい。応答は空であってよく、例えばＡＮＤＳＦに対する情報を搬送せず、または、さらに多くの情報、例えばさらに多くのＭＯに対する要求、もしくは、すべての必要な情報が受信され、通信を停止することができることのインジケーションを含んでもよい。
【０１３２】
ＡＮＤＳＦ  ＭＯがＷＴＲＵ１０２ｄ、１０２ｅ、１０２ｆ、１０２ｇにプロビジョニング（provision）されると、ＡＮＤＳＦサーバは、ＥＡＰ成功および／またはＥＡＰ失敗メッセージを発行する。どちらもＷＴＲＵ１０２ｄ、１０２ｅ、１０２ｆ、１０２ｇとのＥＡＰの交換を終了してもよい。ＷＴＲＵ１０２ｄ、１０２ｅ、１０２ｆ、１０２ｇがＡＰ１７０ａ、１７０ｂと関連付けられていた場合は、それは、ＡＰ１７０ａ、１７０ｂとの関連付けを解除し（disassociate）、または、実際にそれを認証するための第２のＥＡＰ交換を開始しなければならない。一部の実施形態では、ＡＰ１７０ａ、１７０ｂがそれを通常のケースと見なすためＥＡＰ失敗メッセージが好ましいが、ＥＡＰ成功の使用が許可される。一部の実施形態では、非関連付けアプローチ、例えばＧＡＳが使用されてＡＮＤＳＦにアクセスした場合は、ＥＡＰ失敗または成功の選択は関係しないことがある。
【０１３３】
一部の実施形態では、サービスは階層で定義される。例えば、最上位レベルはサービスカテゴリ、例えばプリンタ、映像、ＶＰＮ、ゲームなどであってもよく、１または複数の詳細なレベルがサービスカテゴリの下に追加されてもよい。例えば、プリンタのサービスカテゴリは、３Ｄプリンタ、カラープリンタ、プリンタモデルのサービスの記述（description）を有してもよい。
【０１３４】
別の例では、プリンタに対するサービス記述は、カラー、ブラック、ホワイト、または３Ｄプリンタであるプリンタタイプであってもよく、および、支払われることになるプリンタの料金または無料であるかなどである。別の例は、ビデオとなるサービスカテゴリ、ストリーミングされることになるサービス記述、プリペイドなどに対するものである。別の例として、サービスカテゴリはゲームであってもよく、サービス記述はマルチプレイヤ、カードゲーム、人間対コンピュータなどであってもよい。一部の実施形態では、サービス記述は、下位カテゴリも有してもよい。例えば、マルチプレイヤがさらに、一人称シューティング（first person shoot）、戦略ボードゲームなどの下位カテゴリを有してもよい。
【０１３５】
図１２は、一部の開示される実施形態に従った方法を示す。図１３は、サービスカテゴリのビットマップを示す。図１２に示すＡＰ１７０ａ、１７０ｂは、ＷＬＡＮ１６０ａ、１６０ｂのネットワーク管理１６７ａ、１６７ｂと、ＡＰ１７０ａ、１７０ｂの送信および受信機能との両方を表すことができる。例えば、ネットワーク管理１６７ａ、１６７ｂは、ＩＰおよびＨＴＴＰなどの上位レイヤのパケットを傍受および解釈するように構成されてもよい。ネットワーク管理１６７ａ、１６７ｂ、またはネットワーク管理１６７ａ、１６７ｂの一部は、ＡＰ１７０ａ、１７０ｂに組み込まれ、または、ＡＰ１７０ａ、１７０ｂは、メッセージをＡＰ１７０ａ、１７０ｂに送り返すことができる、ネットワーク管理１６７ａ、１６７ｂにメッセージを転送してもよい。
【０１３６】
一部の実施形態では、サービスカテゴリのビットマップ１３００は、プリントサービスインジケーション１３０２、映像サービスインジケーション１３０４、およびゲームサービスインジケーション１３０６を含んでもよい。Ａ１は、ＡＰ１７０ａ、１７０ｂを介して一部のサービスが、サービスカテゴリが示されるのとともに提供されることを示すのに使用される。例えば、プリントサービスインジケーション１３０２におけるサービスカテゴリのビットマップ１３００におけるａ１は、ＡＰ１７０ａ、１７０ｂを通じてプリントサービスが利用可能であることを示してもよい。一部の実施形態では、サービスカテゴリプリントサービスインジケーション１３０２、映像サービスインジケーション１３０４、ゲームサービスインジケーション１３０６は、サービスカテゴリ１３００において異なって表されてもよい。サービスカテゴリ１３００は、ＷＴＲＵ１０２ｄ、１０２ｅ、１０２ｆ、１０２ｇによって最も頻繁に要求されるサービス、ＡＰ１７０ａ、１７０ｂが販売しようとするサービスなどの基準に基づいて選択された利用可能なサービスカテゴリ１３００のサブセットであってもよい。一部の実施形態では、ＡＰ１７０ａ、１７０ｂは、サービスカテゴリ１３００にサービスを含めるために料金を課してもよい。
【０１３７】
方法１２００は、ＡＰ１７０ａ、１７０ｂが、サービスカテゴリのビットマップ１３００を含むフレーム１２０２を、ＷＴＲＵ１０２ｄ、１０２ｅ、１０２ｆ、１０２ｇに送信することを開始してもよい。一部の実施形態では、フレーム１２０２は、例えば特殊目的のビーコンであってもよく、例えば、ビーコンは、通常は１００ｍｓごとに送信される通常のビーコンよりも少ない間隔で送信されてもよい。一部の実施形態では、ＡＰ１７０ａ、１７０ｂは、サービスカテゴリ１３００またはサービスカテゴリのサブセットを、ブロードキャストフレームまたはマルチキャストフレーム、例えばビーコン、ショートビーコン、ＦＩＬＳ検出またはブロードキャストプローブ応答フレームでブロードキャストする。一部の実施形態では、フレーム１２０２を、周期的に、または何らかのトリガで送信することができる、パブリック動作フレームを使用して搬送することができる。一部の実施形態では、サービスカテゴリのビットマップ１３００を、サービスカテゴリのビットマップ１３００が含まれる拡張型能力情報フィールド上で送信されてもよい。
【０１３８】
オプションで、方法１２００は、１２０４において、ＷＴＲＵ１０２ｄ、１０２ｅ、１０２ｆ、１０２ｇがサービスカテゴリのビットマップ１３００を調査することを継続してもよい。例えば、利用可能なＡＰ１７０ａ、１７０ｂのリストを、関連付けられたＳＳＩＤおよび信号強度とともに現在表示しているＷＴＲＵ１０２ｄ、１０２ｅ、１０２ｆ、１０２ｇの接続マネジャは、サービスカテゴリ１３００に基づいて、ＡＰで利用可能なサービスカテゴリについての情報を表示または処理してもよい。一部の実施形態では、ＷＴＲＵ１０２ｄ、１０２ｅ、１０２ｆ、１０２ｇは、受信したサービスカテゴリ１３００に基づいて、既知の方法または本明細書に開示される方法を使用して、インクリメンタルな検出を実行してもよい。例えば、ＷＴＲＵ１０２ｄ、１０２ｅ、１０２ｆ、１０２ｇは、プリントサービスに興味があり、プリントサービスインジケーション１３０２は、プリントサービスが利用可能であることを示してもよい。ＷＴＲＵ１０２ｄ、１０２ｅ、１０２ｆ、１０２ｇは、別のメッセージを送信して、ＡＰ１７０ａ、１７０ｂを介して利用可能なプリントサービスについてより詳細な情報を取得してもよい。一部の実施形態では、ユーザは、プリントサービスについてさらなる情報に関する調査を送信するＡＰ１７０ａ、１７０ｂを選択してもよい。
【０１３９】
図１４は、一部の開示される実施形態に従った方法を示す。方法１４００は、ＷＴＲＵ１０２ｄ、１０２ｅ、１０２ｆ、１０２ｇが、ｓｅｒｖｉｃｅＴｏＲｅｑｕｅｓｔ１４２０を含むことができるプローブ要求ＭＬＭＥ−Ｓｃａｎ．ｒｅｑｕｅｓｔ１４０２を送信することから開始してもよい。一部の実施形態では、プローブ要求はＭＬＭＥ−Ｓｃａｎ．ｒｅｑｕｅｓｔであってもよい。一部の実施形態では、ＭＬＭＥ以外の異なるフレームタイプが使用されてもよい。一部の開示される実施形態に従ったｓｅｒｖｉｃｅＴｏＲｅｑｕｅｓｔ１４２０が表１および表２に開示される。
【０１４０】
一部の実施形態では、表１および表２に示すように、新たなフィールドＳｅｒｖｉｃｅＴｏＲｅｑｕｅｓｔがＭＬＭＥ−Ｓｃａｎ．ｒｅｑｕｅｓｔプリミティブ（primitive）に追加される。
【０１４１】
【表１】
2015518297.tif 000003
【０１４２】
【表２】
2015518297.tif 000004
【０１４３】
一部の実施形態では、ＷＴＲＵ１０２ｄ、１０２ｅ、１０２ｆ、１０２ｇは、サービスタイプまたはサービスカテゴリを示すＭＬＭＥ−Ｓｃａｎ．ｒｅｑｕｅｓｔプリミティブを受信し、ＷＴＲＵ１０２ｄ、１０２ｅ、１０２ｆ、１０２ｇは、ＭＬＭＥ−Ｓｃａｎ．ｒｅｑｕｅｓｔプリミティブを受信することに基づいてプローブ要求１４０２を生成してもよい。
【０１４４】
方法１４００は、ＡＰ１７０ａ、１７０ｂがプローブ応答１４０４をＷＴＲＵ１０２ｄ、１０２ｅ、１０２ｆ、１０２ｇに送信することを継続してもよい。プローブ応答１４０４はｓｅｒｖｉｃｅＴｙｐｅＲｅｓｐｏｎｓｅ１４２２を含んでもよい。一部の開示される実施形態に従ったｓｅｒｖｉｃｅＴｙｐｅＲｅｓｐｏｎｓｅ１４２２が、表３および表４に開示される。
【０１４５】
【表３】
2015518297.tif 000005
【０１４６】
【表４】
2015518297.tif 000006
【０１４７】
一部の実施形態では、アクティブスキャンまたはパッシブスキャンが完了すると、ＭＬＭＥ−Ｓｃａｎ．ｃｏｎｆｉｒｍプリミティブが生成され、ＷＴＲＵ１０２ｄ、１０２ｅ、１０２ｆ、１０２ｇに送信されて、特定のサービスタイプまたはサービスカテゴリが利用可能であるか否かを示し、関連付けられた詳細情報を含んでもよい。
【０１４８】
一部の実施形態では、方法１４００は、ＷＴＲＵ１０２ｄ、１０２ｅ、１０２ｆ、１０２ｇｇ、１または複数の特定のサービスカテゴリに関するさらなる詳細またはサービス記述に対する別のプローブ要求１４０２を送信することができる、第２のレベルのサービス検出を継続してもよい。
【０１４９】
一部の実施形態では、ＡＰ１７０ａ、１７０ｂは、ＡＰ１７０ａ、１７０ｂが一部のサービス情報をローカルに記憶することができるためにＩＳまたは広告サーバにクエリする必要がなく、ならびに、サービスに関する情報がビットマップを使用して交換されてもよいため、プローブ要求１４０２およびプローブ応答１４０４は、迅速に行われてもよい。
【０１５０】
一部の実施形態では、方法１４００は、ＷＴＲＵ１０２ｄ、１０２ｅ、１０２ｆ、１０２ｇがプローブ要求１４０２を送信する前にフレーム１２０２を受信することを含んでもよい。ＷＴＲＵ１０２ｄ、１０２ｅ、１０２ｆ、１０２ｇは、受信したフレーム１２０２に基づいて、プローブ要求１４０２を判定してもよい。
【０１５１】
一部の実施形態では、ＡＰ１７０ａ、１７０ｂは、最上位レベルのサービスカテゴリに関する情報を、ビーコンフレームなどのＭ１ブロードキャスト管理フレームごとに１回、オプションＩＥとして送信するように構成される。一部の実施形態では、開始オフセットは、ビーコン間隔などのＯ１ブロードキャスト管理フレーム間隔である。
【０１５２】
一部の実施形態では、ＡＰ１７０ａ、１７０ｂは、第２のレベルのサービスタイプ関連情報を、ビーコンフレームなどのＭ２ブロードキャスト管理フレームごとに１回、オプションＩＥとして送信するように構成される。一部の実施形態では、開始オフセットは、ビーコン間隔などのＯ２ブロードキャスト管理フレーム間隔である。一部の実施形態では、Ｍ２の値は、Ｍ１の整数倍である。一部の実施形態では、Ｏ２の値は、第２のレベルのサービス情報を搬送するブロードキャストフレームが第１のレベルのサービス情報を搬送するフレームと重複しないように適切に選択される。
【０１５３】
一部の実施形態では、サービス関連情報の階層にはｋレベルのサービス関連情報が存在し、ｋ番目のレベルのサービスタイプ関連情報は、オプションＩＥとして、Ｍｋビーコンフレームごとに１回送信される。一部の実施形態では、開始オフセットはＯｋビーコン間隔である。Ｍｋの値はＭｋ−１の整数の倍数である。そして、Ｏｋの値は、ｋ番目のレベルのサービス情報を搬送するビーコンフレームが、より高いレベルのサービス情報を搬送するビーコンフレームと重複しないように適切に選択されてもよい。
【０１５４】
ＷＴＲＵ１０２ｄ、１０２ｅ、１０２ｆ、１０２ｇは、最高レベルまたは第１のレベルのサービスタイプ情報を搬送するビーコンフレームなどのブロードキャスト管理フレームをリスンしてもよい。ＷＴＲＵ１０２ｄ、１０２ｅ、１０２ｆ、１０２ｇの好ましいサービスタイプが第１のレベルのサービスタイプ情報で利用可能と示される場合は、次のレベルをリスンすることを継続してもよい。ＷＴＲＵ１０２ｄ、１０２ｅ、１０２ｆ、１０２ｇは、サービスタイプ情報がＷＴＲＵ１０２ｄ、１０２ｅ、１０２ｆ、１０２ｇのサービスの必要性を満たさなくなるまで、またはＷＴＲＵ１０２ｄ、１０２ｅ、１０２ｆ、１０２ｇが、ＡＰ１７０ａ、１７０ｂによって提供されるサービスの詳細を十分に取得するまで、これを継続してもよい。
【０１５５】
一部の実施形態では、ＡＰは、ｍｍＷ固有のサービスに対してブロードキャストしてもよい。例外的に高いサービスデータスループットを必要とするサービスは、８０２．１１ａｄによってサポートされるようなｍｍＷエアインタフェース上でサービスの使用から利益を得てもよい。一部の実施形態では、ｍｍＷエアインタフェース上でのサービスのサービス検出は、８０２．１１ａｄを使用するｍｍＷエアインタフェース上で特に利用可能なサービスのインジケーションとともに、ビーコンを使用して実行されてもよい。例えば、高解像度の映像がｍｍＷチャネル上で利用可能な場合は、８０２．１１ａｃビーコン上でインジケーションが行われてもよい。
【０１５６】
一部の実施形態では、準指向性（semi-omni）送信モードを使用して８０２．１１ａｄビーコンの範囲が制限され、一部の実施形態では、ビーコンは、高度に位置固有のアプリケーションサービス情報を提供するのに使用されてもよい。したがって、８０２．１１ａｄなどのｍｍＷデバイス上で配信されるサービスに対するサービス検出の事前関連付けが実行されてもよい。
【０１５７】
一部の実施形態では、ビーコンフレームの識別文字列におけるＨＡＳＨタグが使用されてもよい。ＨＡＳＨタグは、あるアプリケーションファミリに対するサポートを広告するのに使用されてもよく、そのようなファミリーの例は、ソーシャルネットワーク、ソーシャルサークル、ミュージックライブラリ、映像ライブラリ、ＧＰＳ／位置支援、音声／映像ストリーミング、電話などを含む。
【０１５８】
一部の実施形態では、位置パラメータの使用および関連する位置固有の場所（venue）が、特定のアプリケーションサービスの利用可能性のインジケーション、および／または、そのようなサービスを取得する方法のインジケーションとして使用されてもよい。一部の実施形態では、アプリケーションサービスは、特定のＶＨＴ能力に関連付けられてもよい。例えば、映像のストリーミングなどの一部のサービスは、ある能力カテゴリによって単にサポートすることができる高いデータレートを必要とする。
【０１５９】
一部の実施形態では、デバイスクラスは、特定タイプのアプリケーションに関連付けられてもよい。例えば、自身のサービスを広告するプリンタは、プリントサービスを提供することのみに制約されてもよい。一部の実施形態では、プリンタの位置またはプリンタ名が提供されてもよい。プリンタの位置は、ＷＴＲＵ１０２ｄ、１０２ｅ、１０２ｆ、１０２ｇのユーザにとって有用であることがある。プリンタの位置情報は、接続されたデバイスＡＰを通じて、位置に影響を受ける（sensitive）サービスの広告を容易にするＷＬＡＮコントローラにおける中央データベースによって管理されてもよい。一部の実施形態では、プリンタは、ＧＰＳまたはユーザが入力した位置を使用してそのプリンタの位置を記憶してもよい。
【０１６０】
プローブ要求は、ＡＰ１７０ａ、１７０ｂを介してどのサービスが利用可能であるかをＡＰ１７０ａ、１７０ｂに問い合わせるのに使用されてもよい。ＡＰ１７０ａ、１７０ｂは、より詳細な情報をとともにプローブ要求応答で応答してもよい。例えば、特定のＡＰＩインタフェースの利用可能性は、プローブ応答で開示されてもよい。一部の実施形態では、アプリケーションサービスに関する情報に対するプローブ要求は、ビーコンフレームにおける能力フィールドに応答して送信されてもよい。アプリケーションの数を非常に多くすることができ、すべての既知のアプリケーション開発が知られていないことがあるため、上記で開示した方法は、ＷＴＲＵ１０２ｄ、１０２ｅ、１０２ｆ、１０２ｇが、アプリケーションに関するアプリケーション情報を検出するための拡張可能およびスケーラブルな識別スキームを提供する。
【０１６１】
一部の実施形態では、ＷＴＲＵ１０２ｄ、１０２ｅ、１０２ｆ、１０２ｇは、ＡＰ１７０ａ、１７０ｂにサービス情報を送信し、ＡＰ１７０ａ、１７０ｂは、ＷＴＲＵ１０２ｄ、１０２ｅ、１０２ｆ、１０２ｇによって提供されるサービスを広告してもよい。一部の実施形態では、ＡＰ１７０ａ、１７０ｂは、能力フィールドまたは別のフィールドを使用して、ビーコンフレームを通じて、ＷＴＲＵ１０２ｄ、１０２ｅ、１０２ｆ、１０２ｇのサービスを広告してもよい。
【０１６２】
一部の実施形態では、ＷＴＲＵ１０２ｄ、１０２ｅ、１０２ｆ、１０２ｇは、プローブ要求およびプローブ応答フレームを使用して、ＷＴＲＵ１０２ｄ、１０２ｅ、１０２ｆ、１０２ｇを通じて利用可能なサービスをＡＰ１７０ａ、１７０ｂに広告し、または、サービスがもはや利用可能でないことをＡＰ１７０ａ、１７０ｂに通知してもよい。一部の実施形態では、ＡＰ１７０ａ、１７０ｂは、ＡＰ１７０ａ、１７０ｂがＷＴＲＵ１０２ｄ、１０２ｅ、１０２ｆ、１０２ｇに使用させることを望むサービスとともにＷＴＲＵ１０２ｄ、１０２ｅ、１０２ｆ、１０２ｇに応答してもよい。
【０１６３】
一部の実施形態では、ＷＴＲＵ１０２ｄ、１０２ｅ、１０２ｆ、１０２ｇのグループは、サービスをサポートする能力をＡＰ１７０ａ、１７０ｂに広告してもよい。ＷＴＲＵ  ＩＤの代わりにグループＩＤ機構が使用されて、サービスを広告し、ＡＰ１７０ａ、１７０ｂに利用可能なサービスを通知してもよい。
【０１６４】
一部の実施形態では、ＡＰ１７０ａ、１７０ｂは、利用可能なＤ２Ｄサービスを広告してもよい。一部の実施形態では、Ｄ２Ｄサービス検出は、非ＡＰ端末間のＤ２Ｄビーコン交換と同時に、プローブ要求、プローブ応答、ＡＰ１７０ａ、１７０ｂとのフレーム交換によって容易にされてもよい。
【０１６５】
一部の実施形態では、説明されたようなビーコンフレームを使用して広告されるサービスは、８０２．１１ａｄ対応デバイスに対し、８０２．１１ａｄ空間共有セッションを使用してＤ２Ｄサービス検出セッションを開始するように指示してもよい。
【０１６６】
マクロ範囲で検出されるサービスは、マクロネットワークにおいては完全には利用可能でないことがある。一部の実施形態では、８０２．１１ａｈネットワークにおいて広告されるビーコンは、サービスに対する能力依存性のインジケーションを含んでもよい。例えば、サービスは階層形式で定義されてもよく、セル境界におけるサービスは、ＡＰ１７０ａ、１７０ｂのより近くで提供されるサービスと比較して、能力において漸増し、および制限されることがある。
【０１６７】
一部の実施形態では、ＷＴＲＵ１０２ｄ、１０２ｅ、１０２ｆ、１０２ｇがＡＰ１７０ａ、１７０ｂにより近くに移動するに従って、追加的な能力へのシームレスな移行を可能にする方法は、ＡＰ１７０ａ、１７０ｂからのビーコン送信におけるインジケーションによってサポートされてもよい。例えば、ＡＰ１７０ａ、１７０ｂは、ＷＴＲＵ１０２ｄ、１０２ｅ、１０２ｆ、１０２ｇの位置を監視し、その位置情報を使用して、追加的な能力がサポートされるときにＷＴＲＵ１０２ｄ、１０２ｅ、１０２ｆ、１０２ｇにインジケーションを提供してもよい。一部の実施形態では、８０２．１１ａｈを使用したＷＬＡＮ１６０ａ、１６０ｂのセルラネットワークからマクロカバレッジネットワークへのサービスの移行をサポートするときに、能力フィールドは、サービスに対する要求がセルラネットワーク要求から発信されることを示してもよい。一部の実施形態では、セルラネットワークから発信されたサービス要求は、他のサービス要求よりも高い優先度を与えられてもよい。一部の実施形態では、８０２．１１ａｈビーコンは、位置固有のサービスをマクロカバレッジエリアにブロードキャストするのに使用されてもよい。一部の実施形態では、そのブロードキャストを受信するＷＴＲＵ１０２ｄ、１０２ｅ、１０２ｆ、１０２ｇは、位置固有の情報を使用して、位置固有のサービスのユーザにインジケーションを提供してもよい。
【０１６８】
一部の実施形態では、８０２．１１ａｈビーコンは、加えて、そのサービスエリア内の関連付けられた８０２．１  １ａｃまたは８０２．１１ａｄネットワークで利用可能なサービス検出情報を提供してもよい。一部の実施形態では、ＷＴＲＵ１０２ｄ、１０２ｅ、１０２ｆ、１０２ｇはその情報を使用して、８０２．１１ａｃまたは８０２．１１ａｄネットワークに移行してサービスを受信するための準備をしてもよい。
【０１６９】
上記では特定の組み合わせで特徴および要素について説明したが、当業者は、各特徴または要素を単独で、または他の特徴および要素との任意の組み合わせで使用できることを認識されよう。また、本明細書に記載の方法は、コンピュータまたはプロセッサによる実行のためにコンピュータ可読媒体に組み込まれた、コンピュータプログラム、ソフトウェア、またはファームウェアとして実装されてもよい。コンピュータ可読媒体の例は、電子信号（有線接続または無線接続を通じて送信される）、およびコンピュータ可読記憶媒体を含む。コンピュータ可読記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、光磁気媒体、およびＣＤ−ＲＯＭディスクおよびデジタル多用途ディスク（ＤＶＤ）などの光学媒体を含んでもよいが、これらに限定されない。ソフトウェアと関連したプロセッサが使用されて、ＷＴＲＵ、ＵＥ、ＳＴＡ、クライアント、端末、基地局、ＲＮＣ、またはホストコンピュータで使用するための無線周波送受信機を実装してもよい。
【０１７０】
実施形態
１．無線送信／受信ユニット（ＷＴＲＵ）における使用のための方法であって、無線ローカルエリアネットワーク（ＷＬＡＮ）を通じた事前関連付け検出（ＰＡＤ）の目的で、ＷＬＡＮとの関連付けを行う前に、インターネットプロトコル（ＩＰ）アドレスを取得してＷＬＡＮと通信するステップを備えた方法。
【０１７１】
２．実施形態１の方法であって、ＩＰアドレスを取得するステップは、ＰＡＤに割り当てられたＩＰアドレスの空間からＩＰアドレスをランダムに選択すること、ＷＬＡＮからのブロードキャストフレームに基づいてＩＰアドレスを判定すること、または、ＷＬＡＮにＬ２検出メッセージを送信し、および、Ｌ２検出メッセージに応答してＩＰアドレスを受信すること、の少なくとも１つによりＩＰアドレスを取得するステップをさらに備えた方法。
【０１７２】
３．実施形態１または２のいずれかの方法であって、ＩＰアドレスは、リンクローカルＩＰアドレス、または静的ＩＰアドレスの１つである方法。
【０１７３】
４．実施形態１乃至３のいずれかの方法であって、情報サーバ名を含む要求を、ＷＬＡＮを介してドメインネームサーバに送信するステップと、情報サーバのＩＰアドレスを受信するステップとをさらに含む方法。
【０１７４】
５．実施形態１乃至４のいずれかの方法であって、取得したＩＰアドレスを使用して情報サーバと通信してＰＡＤ検出を実行するステップをさらに含む方法。
【０１７５】
６．実施形態１乃至５のいずれかの方法であって、ＷＴＲＵは、アクセスポイント（ＡＰ）、基地局（ＢＳ）、または第２のＷＴＲＵ、の少なくとも１つを通じてＷＬＡＮにアクセスし、ＷＬＡＮは、８０２．１１、８０２．１５、または８０２．１６、の少なくとも１つを実装する方法。
【０１７６】
７．無線ローカルエリアネットワーク（ＷＬＡＮ）における使用のための方法であって、ソースＩＰアドレスを含むメッセージを、関連付けられていない無線送受信ユニット（ＷＴＲＵ）から受信するステップと、関連付けられていないＷＴＲＵがどのようにソースＩＰアドレスを使用することができるかを制限するステップとを備えた方法。
【０１７７】
８．実施形態７の方法であって、制限するステップは、ソースＩＰアドレスを使用することができる時間量を制限すること、ソースＩＰアドレスに関連付けられたトラフィックの量を制限すること、関連付けられていないＷＴＲＵがソースＩＰアドレスを使用して通信することができるアドレスを制限すること、または、関連付けられていないＷＴＲＵからのメッセージを取り込み、および、取り込んだメッセージをＰＡＤウェブサーバに送信すること、の少なくとも１つによってソースＩＰアドレスの使用を制限するステップをさらに備えた方法。
【０１７８】
９．実施形態７または８のいずれかの方法であって、ＩＰアドレスをビーコンフレームで、関連付けられていないＷＴＲＵにブロードキャストすること、または、関連付けられていないＷＴＲＵにソースＩＰアドレスを送信することによって、関連付けられていないＷＴＲＵからのＬ２検出メッセージに応答すること、の少なくとも１つによって、関連付けられていないＷＴＲＵにＩＰアドレスを送信するステップをさらに備えた方法。
【０１７９】
１０．実施形態７乃至９のいずれかの方法であって、メッセージが、制限された宛先ＩＰアドレスを含むことを条件として、関連付けられていないＷＴＲＵにエラーメッセージを返すステップをさらに備えた方法。
【０１８０】
１１．実施形態７乃至１０のいずれかの方法であって、制限するステップがさらに、関連付けられていないＷＴＲＵが、ＡＰに対してローカルなドメインネームサーバおよび情報サーバと通信することを許可することによって、関連付けられていないＷＴＲＵがソースＩＰアドレスをどのように使用するかを制限するステップを備え、情報サーバのＩＰアドレスは、ドメインネームサーバへの要求に基づいて判定される方法。
【０１８１】
１２．実施形態７乃至１１のいずれかの方法であって、ソースＩＰアドレスを含むメッセージを受信するステップはさらに、アクセスポイント（ＡＰ）、基地局（ＢＳ）、または第２のＷＴＲＵ、の少なくとも１つを通じて、関連付けられていないＷＴＲＵからソースＩＰアドレスを含むメッセージを受信するステップを備え、ＷＬＡＮは、８０２．１１、８０２．１５、または８０２．１６の少なくとも１つを実装する方法。
【０１８２】
１３．無線ローカルエリアネットワーク（ＷＬＡＮ）における使用のための方法であって、ＷＴＲＵから事前関連付け検出（ＰＡＤ）要求を受信するステップと、ＰＡＤ情報交換のために、ＷＴＲＵとリモート情報サーバ（ＩＳ）との間でメッセージを中継するステップであって、ＷＴＲＵは、ＷＬＡＮで使用するインターネットプロトコル（ＩＰ）アドレスを有さず、および、ＷＴＲＵはＷＬＡＮに関連付けられていない、ステップとを備えた方法。
【０１８３】
１４．実施形態１３の方法であって、ＷＬＡＮは、ＷＴＲＵからＷＬＡＮへのメッセージには第１のプロトコルを使用し、ＷＬＡＮからＩＳへは第２のプロトコルを使用する方法。
【０１８４】
１５．実施形態１３または１４のいずれかの方法であって、リモートＩＳにＰＡＤセッション開始要求を送信するステップをさらに備えた方法。
【０１８５】
１６．実施形態１３乃至１５のいずれかの方法であって、ＷＴＲＵおよびＷＬＡＮはＬ２アドレスを使用して通信し、ならびに、ＷＬＡＮおよびＩＳはインターネットプロトコル（ＩＰ）アドレスを使用して通信する方法。
【０１８６】
１７．実施形態１３乃至１６のいずれかの方法であって、ＰＡＤ要求は有効なセッション識別（ＩＤ）を備え、ＷＬＡＮは、有効なセッションＩＤの数を制限することによって、ＰＡＤの目的でＷＬＡＮと通信する、関連付けられていないＷＴＲＵの数を制御する方法。
【０１８７】
１８．実施形態１３乃至１７のいずれかの方法であって、メッセージは、アクセスポイント（ＡＰ）、基地局（ＢＳ）、または第２のＷＴＲＵ、の少なくとも１つを通じて中継され、ＷＬＡＮは、８０２．１１、８０２．１５、または８０２．１６、の少なくとも１つを実装する方法。
【０１８８】
１９．事前関連付け検出のために無線送受信ユニット（ＷＴＲＵ）における使用のための方法であって、Ｌ２アドレスを使用して無線ローカルエリアネットワーク（ＷＬＡＮ）にメッセージを送信することによって、リモート情報サーバ（ＩＳ）と通信し、ＷＬＡＮを通じてＩＳから応答を受信するステップであって、ＷＴＲＵはＷＬＡＮに関連付けられていない、ステップとを備えた方法。
【０１８９】
２０．実施形態１９の方法であって、ＷＬＡＮに事前関連付け検出（ＰＡＤ）要求を送信するステップをさらに備えた方法。
【０１９０】
２１．実施形態１９または２０のいずれかの方法であって、ＩＳとＷＬＡＮはインターネットプロトコル（ＩＰ）を使用して通信する方法。
【０１９１】
２２．実施形態１９乃至２１のいずれかの方法であって、ＷＬＡＮからサービスダイジェストを受信するステップと、ＷＬＡＮにＰＡＤ要求を送信するか否かをサービスダイジェストに基づいて判定するステップとをさらに備えた方法。
【０１９２】
２３．実施形態１９乃至２２のいずれかの方法であって、ＰＡＤ要求は、ＰＡＤに対するサービスを示すサービス識別子を含む方法。
【０１９３】
２４．実施形態１９乃至２３のいずれかの方法であって、メッセージは、アクセスポイント（ＡＰ）、基地局（ＢＳ）、または第２のＷＴＲＵ、の少なくとも１つを通じて送信され、ＷＬＡＮは、８０２．１１、８０２．１５、または８０２．１６の少なくとも１つを実装する方法。
【０１９４】
２５．無線送受信ユニット（ＷＴＲＵ）において事前関連付け検出（ＰＡＤ）サービスのために非ＩＰ上位ＭＡＣプロトコルを使用するための方法であって、拡張可能認証プロトコル（ＥＡＰ）応答／メソッドをアクセスポイント（ＡＰ）に送信して、発検出情報サーバ（ＤＩＳ）を示すステップと、ＤＩＳとのＰＡＤ交換を確立するステップとを備えた方法。
【０１９５】
２６．実施形態２５の方法であって、ＡＰからＥＡＰ−要求／識別メッセージを受信するステップと、ＡＰにＥＡＰ−応答／識別メッセージを送信するステップと、ＡＰから、ＰＡＤ交換を開始するＥＡＰ−要求／メソッドを受信するステップとをさらに含む方法。
【０１９６】
２７．アクセスポイント（ＡＰ）におけるインクリメンタルインフラストラクチャサービス検出のための方法であって、事前関連付け状態にある局（ＳＴＡ）から一時的インターネットプロトコル（ＩＰ）アドレスの要求を受信するステップと、一時的ＩＰアドレスをＳＴＡに付与するステップと、一時的ＩＰアドレスをＳＴＡに割り当てる際に使用するプールとして、ＩＰアドレスのブロックを予約するステップと、汎用広告サービス（ＧＡＳ）プロトコルを使用して、一時的ＩＰアドレスの割り当てをサポートする能力を広告するステップと、一時的ＩＰアドレスの割り当てにタイムアウト期間を割り当てるステップと、ＳＴＡがタイムアウト期間内に一時的ＩＰアドレスとの関連付けないことを条件として、一時的ＩＰアドレスを無効化するステップとを備えた方法。
【０１９７】
２８．無線送受信ユニット（ＷＴＲＵ）における事前関連付け検出（ＰＡＤ）サービスのためにＭＡＣより非ＩＰ上位ＭＡＣプロトコルを使用するための方法であって、アクセスポイント（ＡＰ）から、Ｌ２プロトコル（ＥＡＰ）−要求／識別メッセージでサービスダイジェストを受信するステップと、ＡＰにＥＡＰ−応答／識別メッセージを送信するステップと、ＥＡＰから、ＰＡＤ交換を開始するＡＰ−要求／メソッドを受信するステップと、ＥＡＰ−応答／メソッドをＡＰに送信して、検出情報サーバ（ＤＩＳ）名を示すステップと、ＤＩＳとのＰＡＤ交換を確立するステップとを備えた方法。
【０１９８】
２９．クライアント（ＣＬ）においてインターネットプロトコル（ＩＰ）レイヤでサービスの事前関連付け検出（ＰＡＤ）を可能にする方法であって、アクセスポイント（ＡＰ）から、ドメインネームシステム（ＤＮＳ）サーバのＩＰアドレスを含むブロードキャストを受信するステップと、受信されたＩＰアドレスを使用して、検出情報サーバ（ＤＩＳ）のＩＰアドレスを解決する要求をＤＮＳサーバに送信するステップと、ＤＩＳのＩＰアドレスを含む応答を、ＤＮＳサーバから受信するステップと、ＤＩＳのＩＰアドレスを使用してＤＩＳに情報を送信するステップとを備えた方法。
【図１Ａ】
2015518297.tif 000007
【図１Ｂ】
2015518297.tif 000008
【図１Ｃ】
2015518297.tif 000009
【図２】
2015518297.tif 000010
【図３Ａ】
2015518297.tif 000011
【図３Ｂ】
2015518297.tif 000012
【図３Ｃ】
2015518297.tif 000013
【図４】
2015518297.tif 000014
【図５】
2015518297.tif 000015
【図６】
2015518297.tif 000016
【図７】
2015518297.tif 000017
【図８Ａ】
2015518297.tif 000018
【図８Ｂ】
2015518297.tif 000019
【図９】
2015518297.tif 000020
【図１０】
2015518297.tif 000021
【図１１】
2015518297.tif 000022
【図１２】
2015518297.tif 000023
【図１３】
2015518297.tif 000024
【図１４】
2015518297.tif 000025
【国際調査報告】
2015518297.tif 000026
2015518297.tif 000027
2015518297.tif 000028
2015518297.tif 000029
2015518297.tif 000030
2015518297.tif 000031